(57)【特許請求の範囲】
【請求項１】
ネットワークベースのソフトウェアアプリケーション内で、完了させるアクションおよびタスクの少なくとも一方を第１のユーザによって生成することと、
前記ネットワークベースのソフトウェアアプリケーション内で、前記アクションおよびタスクの少なくとも一方の完了に関連する複数のユーザの所定のサブセットからフィードバックを受信することと、を含む方法であって、
前記複数のユーザの所定のサブセットが、前記ネットワークベースのソフトウェアアプリケーションの登録メンバーであり、
前記複数のユーザの所定のサブセットの第１の部分が、前記アクションおよびタスクの少なくとも一方を完了し、
前記複数のユーザの所定のサブセットの第２の部分が、前記アクションおよびタスクの少なくとも一方を完了しておらず、
前記複数のユーザの所定のサブセットの前記第１の部分のユーザによる前記アクションおよびタスクの少なくとも一方の前記完了が、前記複数のユーザの所定のサブセットの前記第１の部分の前記ユーザと、独立した個人との少なくとも一方によって、前記複数のユーザの所定のサブセットの前記第１の部分の前記ユーザが前記アクションおよびタスクの少なくとも一方を完了する際に生成される、所定の閾値を満たす認証データを、前記ネットワークベースのソフトウェアアプリケーションに提供することを備え、
前記認証データは、前記アクションおよびタスクの少なくとも一方を完了する前記複数のユーザの所定のサブセットの前記第１の部分のユーザによって生成される場合、前記複数のユーザの所定のサブセットの前記第１の部分のユーザによって、前記ネットワークベースのソフトウェアアプリケーションに提供され、
認証データは、前記独立した個人によって生成される場合、前記独立した個人によって前記ネットワークベースのソフトウェアアプリケーションに提供され、
前記独立した個人が、前記アクションおよびタスクの少なくとも一方を生成する前記第１のユーザとは関連付けられておらず、
前記アクションおよびタスクの少なくとも一方が、前記第１のユーザによって提供される製品およびサービスの少なくとも一方と関連付けられた金融取引の実行に関係していない、方法。
【請求項２】
複数のユーザの所定のサブセットの前記第１の部分に応じて設定される報酬を、前記第１のユーザおよび前記複数のユーザの所定のサブセットの前記第１の部分の少なくとも一方に提供することをさらに備え、
前記報酬が、前記ネットワークベースのソフトウェアアプリケーションと対応付けられる仮想報酬と、前記ネットワークベースのソフトウェアアプリケーションとは別個の報酬プログラムと対応付けられる仮想報酬と、物理的報酬とのうちの少なくとも１つである、請求項１に記載の方法。
【請求項３】
複数のユーザの所定のサブセットの前記第１の部分によって生成される前記認証データに応じて設定される報酬を、前記第１のユーザおよび前記複数のユーザの所定のサブセットの前記第１の部分の少なくとも一方に提供することをさらに備え、
前記報酬が、前記ネットワークベースのソフトウェアアプリケーションと対応付けられる仮想報酬と、前記ネットワークベースのソフトウェアアプリケーションとは別個の報酬プログラムと対応付けられる仮想報酬と、物理的報酬とのうちの少なくとも１つであり、
複数のユーザの所定のサブセットの前記第１の部分の各ユーザによって生成される認証データが第２のユーザによって設定される所定のフォーマットでなければならず、認証されなければならない、請求項１に記載の方法。
【請求項４】
認証閾値を満たす前記認証データが、
前記アクションまたは前記タスクを実行する前記第１のユーザの画像、
前記アクションまたは前記タスクを実行する前記第１のユーザの映像セグメント、および
第３のユーザおよび第４のユーザの少なくとも一方による認証と関連付けられて受け取られ、前記アクションまたは前記タスクを生成するときに第２のユーザによって生成されるジオロケーションデータと一致するジオロケーションデータ
のうちの少なくとも１つを備える、請求項１に記載の方法。
【請求項５】
ユーザの認証方法であって、
複数のソーシャルアソシエーションのうちの少なくとも１つのソーシャルアソシエーションを備えるネットワークベースのソフトウェアアプリケーションを介して前記ユーザの登録を受け取ることと、
前記ユーザによる複数のマイクロアクションのうちの１つのマイクロアクションの完了または前記複数のマイクロアクションのうちの１つのマイクロアクションへの参加に関して、前記ネットワークベースのソフトウェアアプリケーションを介して前記ユーザのアクティビティを追跡し、前記完了または参加は、前記ユーザまたは他のユーザのいずれかによるアクションによって前記ネットワークベースのソフトウェアアプリケーション内で設定されることと、
前記ユーザによる前記複数のマイクロアクションのうちの前記マイクロアクションの完了または前記ユーザによる前記複数のマイクロアクションのうちの前記マイクロアクションへの参加を前記ネットワークベースのソフトウェアアプリケーションを介して認証することによって、前記ユーザの前記アクティビティが有効化されたか否かを判定することと、
前記判定に応じて前記ユーザと対応付けられるランキングを調節することと、
ポイント、バッジ、レベルを含むゲームシステム内で、前記認証済みユーザの完了したマイクロアクションに報酬を与え、他のユーザおよび事業体の少なくとも一方から報酬およびギフトの少なくとも一方を前記認証済みユーザに提供し、前記報酬およびギフトの少なくとも一方が、実行されたアクションの種類に応じて決定されることと、
前記ユーザのランキングが所定の閾値を満たすとき、前記ネットワークベースのソフトウェアアプリケーションの他のユーザまたは他のソーシャルメディアプラットフォームおよびネットワークベースのソフトウェアサービスに対して前記ユーザを有効化することと、を備える、方法。
【請求項６】
前記複数のマイクロアクションのうちの前記マイクロアクションが、
前記ユーザによって実行されるアクションおよびタスクの少なくとも一方と、
前記ユーザが前記ネットワークベースのソフトウェアアプリケーションに認証情報を提示すべき特定手段と、を備える、請求項５に記載の方法。
【請求項７】
前記複数のマイクロアクションのうちの前記マイクロアクションの完了または参加を判定することが、
前記複数のマイクロアクションのうちの前記マイクロアクションを実行または参加する前記ユーザの画像、
前記複数のマイクロアクションのうちの前記マイクロアクションを実行または参加する前記ユーザの映像のセグメント、および
前記複数のマイクロアクションのうちの前記マイクロアクションを生成するときに第１のユーザによって生成されるマイクロアクションジオロケーションデータと一致する前記複数のマイクロアクションのうちの前記マイクロアクションの完了または参加を示すメッセージと関連付けられて受け取られたジオロケーションデータ
のうちの少なくとも１つを受け取り、
前記画像、前記映像のセグメント、および前記メッセージを伴う前記ジオロケーションデータのうちの少なくとも１つが、前記ユーザおよび他のユーザとの少なくとも一方によって生成される、請求項５に記載の方法。
【請求項８】
前記ランキングの調節が、
前記判定の処理のための認証データを提供する前記ユーザと他のユーザとの間の分離度と、
前記判定の処理のための前記認証データのフォーマットと、
のうちの少なくとも１つに依存する、請求項５に記載の方法。
【請求項９】
前記複数のマイクロアクションのうちの前記マイクロアクションが、前記複数のマイクロアクションのうちの前記マイクロアクションの生成者によって設定される複数のハッシュタグのうちの少なくとも１つのハッシュタグを備える、請求項５に記載の方法。
【請求項１０】
複数のマイクロアクションのうちの前記マイクロアクションの完了または複数のマイクロアクションのうちの前記マイクロアクションへの参加を判定することが、前記ユーザおよび他のユーザから認証データを受け取ることを備え、前記認証データが、前記認証データの生成者によって設定される複数のハッシュタグのうちの少なくとも１つのハッシュタグを含む、請求項５に記載の方法。
【請求項１１】
前記複数のマイクロアクションのうちの前記マイクロアクションを実行するように前記ユーザにインセンティブを提供することをさらに備え、
前記インセンティブが、前記複数のマイクロアクションのうちの前記マイクロアクションが完了すると、前記複数のマイクロアクションのうちの前記マイクロアクションを設定する前記ユーザおよび前記インセンティブのプロバイダ以外の他のユーザによって設定され、
前記インセンティブが、前記複数のマイクロアクションのうちの前記マイクロアクションの認証された完了に対して他のユーザから前記ユーザに与えられる、請求項５に記載の方法。
【請求項１２】
前記アクションおよびタスクの少なくとも一方を完了するように前記複数のユーザにインセンティブを提供することと、
認証データが認証閾値を満たす前記アクションおよびタスクの少なくとも一方を完了する前記複数のユーザの所定のサブセットの前記第１の部分の各ユーザにインセンティブを提供することと、
をさらに備え、
前記インセンティブは、前記ネットワークベースのソフトウェアアプリケーションのユーザであって前記インセンティブを提供しないユーザによって設定される、請求項１に記載の方法。
【発明の詳細な説明】
【技術分野】
【０００１】
本発明は、クラウドソーシングに関し、特にマイクロクラウドソーシングの作成、管理、追跡、完了、認証および宣伝に関する。
【背景技術】
【０００２】
クラウドソーシングとは、従来の被雇用者や供給業者からではなく、個人の大きな集団、特にオンラインコミュニティからの貢献を要請することによって、必要なサービス、アイデア、コンテンツなどを取得するアクティビティを指す。「クラウドソーシング」という言葉は２００５年に作り出されたが、２００６年には広く公に注目されるようになり、幅広いアクティビティに適用可能である。このプロセスは、単調な作業を細分する、あるいはベンチャー企業や慈善団体の資金を調達するために利用されることが多く、オフラインで行うこともできる。また、このプロセスは、多数の個性的なボランティアや就業者などの努力をまとめ、そこで各貢献者が自発的に大きな成果のごく一部に貢献する。「クラウドソーシング」という文言は、「クラウド」と「アウトソーシング」の合成語であり、具体的に指定された集団から依頼されるのではなく、作業が不確定の大衆から得られるアウトソーシングと区別される。
【０００３】
クラウドソーシングは単調なタスク労働の分割を含み、クラウドベースのアウトソーシングを活用するように分割されるが、クラウドファンディング、広い基盤のコンペ、解答、解決策、行方不明者の広い探索など、特定の要求にも対応することができる。今日、クラウドソーシングは主にインターネットに移行している。インターネットは、物理的に判断または精査されていないウェブベースのプロジェクトにおいて、個人がより開放的になりがちであり、さらに気楽な共有意識を覚えるため、クラウドソーシングに特に適した場を提供する。個人は自らの作業に対して精密な調査をさほど意図していない、あるいは意識さえしていないため、最終的にインターネットは巧みに設計された優れたプロジェクトを可能にする。オンライン環境では、他の個人とのコミュニーションに多くの時間を費やす代わりに、プロジェクトの具体的なニーズにさらに注視することができる。
【０００４】
クラウドソーシングは、明示的または暗示的ルートをとることができる。明示的クラウドソーシングは、ユーザ同士で協力して様々な具体的タスクを評価、共有、構築させる一方、暗示的クラウドソーシングは、ユーザが自身の実行している何か他の作業の副次的効果として問題を解決することを意味する。明示的クラウドソーシングでは、ユーザが本やウェブページのような特定のアイテムを評価する、あるいは製品またはアイテムを投稿することによって共有することができる。ユーザは、情報を提供する、あるいは他人の作業を編集することによって人工物を構築することもできる。暗示的クラウドソーシングは独立型と積重ね型の２つの形式を取ることができる。独立型の場合、人は実際に行っているタスクの副次的効果として問題を解決することができる一方、積重ね型の場合、第三者のウェブサイトからユーザ情報を取り出して情報を収集する。
【０００５】
いくつかの一般的カテゴリのクラウドソーシングは、コマーシャル界で有効に利用することができる。これらのウェブベースのクラウドソーシングの試みは、クラウドボーティング、集合知、クラウドファンディング、マイクロワーク、創造的クラウドソーシング、勧誘懸賞付きコンテストなどを含む。これらは包括的なリストではないが、人々がクラウドを使用してタスクを実行する現代の主要な方法を含む。しかしながら、ＡｍａｚｏｎＴＭによるＭｅｃｈａｎｉｃａｌ  Ｔｕｒｋなどの今日のサービスは、クラウドソーシング作業へのアクセスを企業に提供する。多くの場合、実際には単独の作業者が個々に作業を完了させる。同様に、クラウドファンディングでは、多数のこのようなサービスは主に、クラウドソーシング全体で人気が急騰中のサービスピギーバッキングを仲介している。したがって、現在、大半のクラウドソーシングオンラインポータルは、主に仲介型サービスとして運営されている。
【０００６】
プロジェクトは多数のクラウドソースを含むことができるが、クラウドソーシングのアクティビティには社会的側面がなく、他人によるクラウドソーシングの結果の視認性が低い。したがって、モバイルおよび非モバイルユーザの両方をサポートし、他人が請け負っている／要求しているクラウドソーシングの視認性をソーシャルメディアおよびソーシャルネットワークに提供するオンラインポータルを設けることが有益であろう。また、クラウドソーシングポータルは、ユーザがクラウドソースアクティビティを実行するように奨励する、あるいは、クラウドソースアクティビティの生成者と実行者に関係なくユーザを奨励することが有益であろう。同様に、このようなクラウドソーシングポータルは、マルチメディアコンテンツの取得しやすさ、またはモバイル環境下でのユーザのジオロケーションの判定しやすさを向上させて、クラウドソースアクティビティの完了プロセスの一部を提供することも有益であろう。したがって、本発明の実施形態は、クラウドソーシングポータル内のこれらの特徴を提供する。より具体的には、クラウドソーシングアクティビティを生成、管理、追跡、完了および宣伝する豊かな環境をユーザに提供する。
【０００７】
本発明のその他の側面および特徴は、添付図面と併せて以下の具体的な発明の実施形態を参照することで当業者にとって自明になるであろう。
【発明の概要】
【０００８】
本発明の目的は、クラウドソーシング、特にマイクロクラウドソーシングの作成、管理、追跡、完了、認証および宣伝に関する、従来技術の制限に対処することである。
【０００９】
本発明の一の実施形態によれば、第１のユーザにインセンティブを提供することであって、第２のユーザによって生成されるアクションまたはタスクを実行するように提供することを備える方法であって、インセンティブが、第１のユーザが第２のユーザと契約することに基づき、第３のユーザによるアクションまたはタスクの完了に対する報酬である方法を提供する。
【００１０】
本発明の一の実施形態によれば、ネットワークベースのソフトウェアアプリケーション内で、完了させるアクションおよびタスクの少なくとも一方を第１のユーザによって生成することと、
ネットワークベースのソフトウェアアプリケーション内で、完了させるアクションおよびタスクの少なくとも一方を第１のユーザによって生成することと、
ネットワークベースのソフトウェアアプリケーション内で、アクションおよびタスクの少なくとも一方に関連する複数のユーザの所定のサブセットからフィードバックを受信することと、を含む方法であって、
複数のユーザの所定のサブセットが、ネットワークベースのソフトウェアアプリケーションの登録メンバーであり、
複数のユーザの所定のサブセットの第１の部分が、アクションおよびタスクの少なくとも一方を完了し、
複数のユーザの所定のサブセットの第２の部分が、アクションおよびタスクの少なくとも一方を完了しておらず、
複数のユーザの所定のサブセットの第１の部分のユーザによるアクションおよびタスクの少なくとも一方の完了が、複数のユーザの所定のサブセットの第１の部分のユーザと、前記アクションおよびタスクの少なくとも一方を完了する複数のユーザの所定のサブセットの第１の部分のユーザと無関係の個人との少なくとも一方によって生成される認証データを、前記ネットワークベースのソフトウェアアプリケーションに提供することを備える方法を提供する。
【００１１】
本発明の一の実施形態によれば、ユーザの認証方法であって、
複数のソーシャルアソシエーションのうちの少なくとも１つのソーシャルアソシエーションを備えるネットワークベースのソフトウェアアプリケーションを介してユーザの登録を受け取ることと、
ユーザまたは他のユーザのいずれかによってネットワークベースのソフトウェアアプリケーション内で設定される複数のマイクロアクションのうちの１つのマイクロアクションの完了または参加に関して、ネットワークベースのソフトウェアアプリケーションを介してユーザのアクティビティを追跡することと、
複数のマイクロアクションのうちの上記マイクロアクションの完了または参加をウェブベースのネットワークアプリケーションを介して認証することによって、ユーザのアクティビティが有効化されたか否かを判定することと、
判定に応じてユーザと対応付けられるランキングを調節することと、
ポイント、バッジ、レベルを含むゲームシステム内で、認証済みユーザの完了したマイクロアクションに報酬を与え、他のユーザおよび事業体の少なくとも一方から報酬およびギフトの少なくとも一方を認証済みユーザに提供し、報酬およびギフトの少なくとも一方が、実行されたアクションの種類に応じて決定されることと、
ユーザのランキングが所定の閾値を満たすとき、ネットワークベースのソフトウェアアプリケーションの他のユーザまたは他のソーシャルメディアプラットフォームおよびネットワークベースのソフトウェアサービスに対してユーザを有効化することと、を備える方法を提供する。
【００１２】
本発明の一の実施形態によれば、マイクロプロセッサによって実行され、不揮発性非一時的メモリに記憶されるコンピュータ実行可能命令方法であって、
複数のソーシャルアソシエーションのうちの少なくとも１つのソーシャルアソシエーションを備えるネットワークベースのソフトウェアアプリケーションを介してユーザの登録を受け取るステップと、
ユーザまたは他のユーザのいずれかによってネットワークベースのソフトウェアアプリケーション内で設定される複数のマイクロアクションのうちの１つのマイクロアクションの完了または参加に関して、ネットワークベースのソフトウェアアプリケーションを介してユーザのアクティビティを追跡するステップと、
複数のマイクロアクションのうちの上記マイクロアクションの完了または参加をウェブベースのネットワークアプリケーションを介して認証することによって、ユーザのアクティビティが有効とされたか否かを判定するステップと、
判定に応じてユーザと対応付けられるランキングを調節するステップと、
ポイント、バッジ、レベルを含むゲームシステム内で、認証済みユーザの完了したマイクロアクションに報酬を与え、他のユーザおよび事業体の少なくとも一方から報酬およびギフトの少なくとも一方を認証済みユーザに提供し、報酬およびギフトの少なくとも一方が、実行されたアクションの種類に応じて決定されるステップと、
ユーザのランキングが所定の閾値を満たすとき、ネットワークベースのソフトウェアアプリケーションの他のユーザまたは他のソーシャルメディアプラットフォームおよびネットワークベースのソフトウェアサービスに対してユーザを有効化するステップと、を備えるプロセスを提供するコンピュータ実行可能命令方法を提供する。
【００１３】
本発明の一の実施形態によれば、システムであって、
マイクロプロセッサと、コンピュータネットワークに接続されるネットワークインタフェースと、を備える第１のコンピュータサーバ上で実行する登録エンジンであって、複数のソーシャルアソシエーションのうちの少なくとも１つのソーシャルアソシエーションを備えるコンピュータネットワークを介してユーザの登録を受け取る登録エンジンと、
マイクロプロセッサと、コンピュータネットワークに接続されるネットワークインタフェースと、を備える第２のコンピュータサーバ上で実行する追跡エンジンであって、ユーザまたは他のユーザのいずれかによってネットワークベースのソフトウェアアプリケーション内で設定される複数のマイクロアクションのうちの１つのマイクロアクションの完了または参加に関して、ユーザのアクティビティを追跡する追跡エンジンと、
マイクロプロセッサと、コンピュータネットワークに接続されるネットワークインタフェースとを備える第３のコンピュータサーバ上で実行する認証エンジンであって、複数のマイクロアクションのうちの上記マイクロアクションの完了または参加を、ピアツーピア認証システムを含むウェブベースのネットワークアプリケーションを介して認証することによって、ユーザのアクティビティが有効とされたか否かを判定する認証エンジンと、
マイクロプロセッサと、コンピュータネットワークに接続されるネットワークインタフェースと、を備える第４のコンピュータサーバ上で実行するユーザプロフィールエンジンであって、
判定に応じて前記ユーザと対応付けられるランキングを調節することと、
ユーザのランキングが所定の閾値を満たすとき、ネットワークベースのソフトウェアアプリケーションの他のユーザに対してユーザを有効化することと、を少なくとも実行するユーザプロフィールエンジンと、
マイクロプロセッサと、コンピュータネットワークに接続されるネットワークインタフェースと、を備える第５のコンピュータサーバ上で実行する報酬エンジンであって、
複数のマイクロアクションのうちの上記マイクロアクションの完了または参加が認証されたユーザに、ゲームシステムに関連する所定数の認証済みユーザポイントを提供することと、
複数のマイクロアクションのうちの上記マイクロアクションの完了または参加が認証されたユーザに、他のユーザおよび事業体の少なくとも一方から報酬およびギフトの少なくとも一方を提供し、報酬およびギフトの少なくとも一方が、少なくとも複数のマイクロアクションのうちの上記マイクロアクションの完了または参加中に実行されるアクションの種類に応じて判定されることと、
他のユーザ、企業、政府、国際機関などを含む別のユーザまたは事業者から報酬またはギフトを、新しいマイクロアクションに対して実行されるアクションの種類に基づいて、ユーザに提供することと、
複数のマイクロアクションのうちの新たなマイクロアクションに関連する通知と併せて、複数のマイクロアクションのうちの新たなマイクロアクションと対応付けられる報酬およびギフトの少なくとも一方をユーザに提供することと、のうちの少なくとも１つを実行する報酬エンジンと、を備えるシステムを提供する。
【００１４】
本発明のその他の側面および特徴は、添付図面と併せて以下の具体的な発明の実施形態を参照することで当業者にとって自明になるであろう。
【図面の簡単な説明】
【００１５】
本発明の実施形態を例示のために添付図面を参照して以下説明する。
【００１６】
【図１】図１は、発明の実施形態を採用することができるネットワーク環境を示す。
【００１７】
【図２】図２は、図１に示すネットワークとの通信をサポートし、発明の実施形態をサポートする無線ポータブル電子装置を示す。
【００１８】
【図３】図３は、本発明の一の実施形態に係るマイクロクラウドソーシングシステムおよびマイクロクラウドソーシングアプリケーション／プラットフォームにおける初期化プロセスフローを示す。
【００１９】
【図４】図４は、本発明の一の実施形態に係るマイクロクラウドソーシングシステムおよびマイクロクラウドソーシングアプリケーション／プラットフォームにおけるウェルカムカードと、カード提示およびスワイプ動作検出のプロセスフローとを示す。
【００２０】
【図５】図５は、本発明の一の実施形態に係るマイクロクラウドソーシングシステムおよびマイクロクラウドソーシングアプリケーション／プラットフォームにおける画面画像を示す。
【００２１】
【図６Ａ】図６Ａは、本発明の一の実施形態に係るマイクロクラウドソーシングシステムおよびマイクロクラウドソーシングアプリケーション／プラットフォームにおけるサインアッププロセスフローを示す。
【図６Ｂ】図６Ｂは、本発明の一の実施形態に係るマイクロクラウドソーシングシステムおよびマイクロクラウドソーシングアプリケーション／プラットフォームにおけるサインアッププロセスフローを示す。
【００２２】
【図７】図７は、本発明の一の実施形態に係るマイクロクラウドソーシングシステムおよびマイクロクラウドソーシングアプリケーション／プラットフォームにおける図６Ａおよび図６Ｂのサインアッププロセスフロー中に提示される画面画像を示す。
【図８Ａ】図８Ａは、本発明の一の実施形態に係るマイクロクラウドソーシングシステムおよびマイクロクラウドソーシングアプリケーション／プラットフォームにおける図６Ａおよび図６Ｂのサインアッププロセスフロー中に提示される画面画像を示す。
【図８Ｂ】図８Ｂは、本発明の一の実施形態に係るマイクロクラウドソーシングシステムおよびマイクロクラウドソーシングアプリケーション／プラットフォームにおける図６Ａおよび図６Ｂのサインアッププロセスフロー中に提示される画面画像を示す。
【００２３】
【図９】図９は、本発明の一の実施形態に係るマイクロクラウドソーシングシステムおよびマイクロクラウドソーシングアプリケーション／プラットフォームにおける図６Ａおよび図６Ｂのサインアッププロセスフローに関連する画面画像を示す。
【図１０】図１０は、本発明の一の実施形態に係るマイクロクラウドソーシングシステムおよびマイクロクラウドソーシングアプリケーション／プラットフォームにおける図６Ａおよび図６Ｂのサインアッププロセスフローに関連する画面画像を示す。
【００２４】
【図１１】図１１は、本発明の一の実施形態に係るマイクロクラウドソーシングシステムおよびマイクロクラウドソーシングアプリケーション／プラットフォームにおける図１２のログインプロセスフロー中に提示される画面画像を示す。
【００２５】
【図１２】図１２は、本発明の一の実施形態に係るマイクロクラウドソーシングシステムおよびマイクロクラウドソーシングアプリケーション／プラットフォームにおけるログインプロセスフローを示す。
【００２６】
【図１３】図１３は、本発明の一の実施形態に係るマイクロクラウドソーシングシステムおよびマイクロクラウドソーシングアプリケーション／プラットフォームにおけるログイン報酬シーケンスに関連する画面画像を示す。
【００２７】
【図１４】図１４は、本発明の一の実施形態に係るマイクロクラウドソーシングシステムおよびマイクロクラウドソーシングアプリケーション／プラットフォームにおける図１５のホーム画面プロセスフローに関連する画面画像を示す。
【００２８】
【図１５】図１５は、本発明の一の実施形態に係るマイクロクラウドソーシングシステムおよびマイクロクラウドソーシングアプリケーション／プラットフォームにおけるホーム画面プロセスフローを示す。
【００２９】
【図１６】図１６は、本発明の一の実施形態に係るマイクロクラウドソーシングシステムおよびマイクロクラウドソーシングアプリケーション／プラットフォームにおけるユーザのプロフィールと、ユーザのアクティビティ画面とに関連する画面画像を示す。
【００３０】
【図１７】図１７は、本発明の一の実施形態に係るマイクロクラウドソーシングシステムおよびマイクロクラウドソーシングアプリケーション／プラットフォームにおけるアクティビティ通知に関連する画面画像を示す。
【００３１】
【図１８】図１８は、本発明の一の実施形態に係るマイクロクラウドソーシングシステムおよびマイクロクラウドソーシングアプリケーション／プラットフォームにおけるマイクロアクションカードに関連する画面画像を示す。
【００３２】
【図１９Ａ】図１９Ａは、本発明の一の実施形態に係るマイクロクラウドソーシングシステムおよびマイクロクラウドソーシングアプリケーション／プラットフォームにおけるマイクロアクションカードプロセスフローを示す。
【図１９Ｂ】図１９Ｂは、本発明の一の実施形態に係るマイクロクラウドソーシングシステムおよびマイクロクラウドソーシングアプリケーション／プラットフォームにおけるマイクロアクションカードプロセスフローを示す。
【００３３】
【図２０】図２０は、本発明の一の実施形態に係るマイクロクラウドソーシングシステムおよびマイクロクラウドソーシングアプリケーション／プラットフォームにおけるマイクロアクションカードとマイクロアクションに関連する画面画像を示す。
【図２１】図２１は、本発明の一の実施形態に係るマイクロクラウドソーシングシステムおよびマイクロクラウドソーシングアプリケーション／プラットフォームにおけるマイクロアクションカードとマイクロアクションに関連する画面画像を示す。
【００３４】
【図２２Ａ】図２２Ａは、本発明の一の実施形態に係るマイクロクラウドソーシングシステムおよびマイクロクラウドソーシングアプリケーション／プラットフォームにおけるマイクロアクションカルーセルプロセスフローを示す。
【図２２Ｂ】図２２Ｂは、本発明の一の実施形態に係るマイクロクラウドソーシングシステムおよびマイクロクラウドソーシングアプリケーション／プラットフォームにおけるマイクロアクションカルーセルプロセスフローを示す。
【００３５】
【図２３Ａ】図２３Ａは、本発明の一の実施形態に係るマイクロクラウドソーシングシステムおよびマイクロクラウドソーシングアプリケーション／プラットフォームにおけるマイクロアクションの実行に関連する画面画像を示す。
【図２３Ｂ】図２３Ｂは、本発明の一の実施形態に係るマイクロクラウドソーシングシステムおよびマイクロクラウドソーシングアプリケーション／プラットフォームにおけるマイクロアクションの実行に関連する画面画像を示す。
【００３６】
【図２４Ａ】図２４Ａは、本発明の一の実施形態に係るマイクロクラウドソーシングシステムおよびマイクロクラウドソーシングアプリケーション／プラットフォームにおけるマイクロアクションプロセスフローを示す。
【図２４Ｂ】図２４Ｂは、本発明の一の実施形態に係るマイクロクラウドソーシングシステムおよびマイクロクラウドソーシングアプリケーション／プラットフォームにおけるマイクロアクションプロセスフローを示す。
【００３７】
【図２５】図２５は、本発明の一の実施形態に係るマイクロクラウドソーシングシステムおよびマイクロクラウドソーシングアプリケーション／プラットフォームにおけるジオロケーションマイクロアクションとマイクロアクション作成に関連する画面画像を示す。
【図２６】図２６は、本発明の一の実施形態に係るマイクロクラウドソーシングシステムおよびマイクロクラウドソーシングアプリケーション／プラットフォームにおけるジオロケーションマイクロアクションとマイクロアクション作成に関連する画面画像を示す。
【００３８】
【図２７】図２７は、本発明の一の実施形態に係るマイクロクラウドソーシングシステムおよびマイクロクラウドソーシングアプリケーション／プラットフォームにおけるマイクロアクション生成プロセスフローを示す。
【００３９】
【図２８Ａ】図２８Ａは、本発明の一の実施形態に係るマイクロクラウドソーシングシステムおよびマイクロクラウドソーシングアプリケーション／プラットフォームにおけるマイクロアクションと対応付けられる報酬に関連する画面画像を示す。
【図２８Ｂ】図２８Ｂは、本発明の一の実施形態に係るマイクロクラウドソーシングシステムおよびマイクロクラウドソーシングアプリケーション／プラットフォームにおけるマイクロアクションと対応付けられる報酬に関連する画面画像を示す。
【００４０】
【図２９】図２９は、本発明の一の実施形態に係るマイクロクラウドソーシングシステムおよびマイクロクラウドソーシングアプリケーション／プラットフォームにおける報酬プロセスフローを示す。
【００４１】
【図３０】図３０は、本発明の一の実施形態に係るマイクロクラウドソーシングシステムおよびマイクロクラウドソーシングアプリケーション／プラットフォームにおける宣伝マイクロアクションに関連する画面画像を示す。
【００４２】
【図３１】図３１は、本発明の一の実施形態に係るマイクロクラウドソーシングシステムおよびマイクロクラウドソーシングアプリケーション／プラットフォームにおけるマイクロアクション宣伝に関連するプロセスフローを示す。
【図３２】図３２は、本発明の一の実施形態に係るマイクロクラウドソーシングシステムおよびマイクロクラウドソーシングアプリケーション／プラットフォームにおけるマイクロアクション宣伝に関連するプロセスフローを示す。
【００４３】
【図３３】図３３は、本発明の一の実施形態に係るマイクロクラウドソーシングシステムおよびマイクロクラウドソーシングアプリケーション／プラットフォームにおけるマイクロアクションの調停に関連する画面画像を示す。
【００４４】
【図３４】図３４は、本発明の一の実施形態に係るマイクロクラウドソーシングシステムおよびマイクロクラウドソーシングアプリケーション／プラットフォームにおけるハッシュタグに基づくマイクロクラウドコンテンツの検索に関連する画面画像を示す。
【００４５】
【図３５】図３５は、本発明の一の実施形態に係るマイクロクラウドソーシングシステムおよびマイクロクラウドソーシングアプリケーション／プラットフォーム内のアクティビティ画面を見るように選択するユーザに関連する画面画像を示す。
【００４６】
【図３６】図３６は、本発明の一の実施形態に係るマイクロクラウドソーシングシステムおよびマイクロクラウドソーシングアプリケーション／プラットフォーム内のユーザ用ヘルプインタフェースに関係する画面画像を示す。
【００４７】
【図３７】図３７は、本発明の一の実施形態に係るマイクロクラウドソーシングシステムおよびマイクロクラウドソーシングアプリケーション／プラットフォームにおけるユーザ用の設定画面とデフォルトオペレーティングシステムに関連する画面画像を示す。
【００４８】
【図３８】図３８は、本発明の一の実施形態に係るマイクロクラウドソーシングシステムおよびマイクロクラウドソーシングアプリケーション／プラットフォームにおいてマイクロアクションゲームループに関与するユーザに関連するプロセスフローを示す。
【００４９】
【図３９】図３９は、本発明の一の実施形態に係るマイクロクラウドソーシングシステムおよびマイクロクラウドソーシングアプリケーション／プラットフォームにおける画像間のユーザ移動に関連するカメラフローチャートを示す。
【００５０】
【図４０】図４０は、本発明の一の実施形態に係るマイクロクラウドソーシングシステムおよびマイクロクラウドソーシングアプリケーション／プラットフォームを採用するユーザによって誘導される格付けマイクロアクションプロセスフローを示す。
【００５１】
【図４１】図４１は、本発明の一の実施形態に係るマイクロクラウドソーシングシステムおよびマイクロクラウドソーシングアプリケーション／プラットフォームにおけるユーザのアクションに関連する挑戦／チャレンジゲームループプロセスフローチャートを示す。
【００５２】
【図４２】図４２は、本発明の一の実施形態に係るマイクロクラウドソーシングシステムおよびマイクロクラウドソーシングアプリケーション／プラットフォームにおいて、マイクロアクションのレベルなどに基づきエネルギーポイントを取得するユーザに関連するフローチャートを示す。
【００５３】
【図４３】図４３は、認証済みアクティビティに基づき評価が高める、本発明の一の実施形態に係るマイクロクラウドソーシングシステムおよびマイクロクラウドソーシングアプリケーション／プラットフォーム内のユーザに関連する評価増強プロセスフローを示す。
【００５４】
【図４４】図４４は、本発明の一の実施形態に係るマイクロクラウドソーシングシステムおよびマイクロクラウドソーシングアプリケーション／プラットフォーム内で、マイクロアクションを拒絶し、その理由を提供するユーザの機能に関連するプロセスフローを示す。
【００５５】
【図４５】図４５は、本発明の一の実施形態に係るマイクロクラウドソーシングシステムおよびマイクロクラウドソーシングアプリケーション／プラットフォームにおける例示の階層化を示す。
【発明を実施するための形態】
【００５６】
本発明は、クラウドソーシングに関し、特にマイクロクラウドソーシングの作成、管理、追跡、完了、認証および宣伝に関する。
【００５７】
以下の説明は単に例示的実施形態を提供するものであり、本開示の範囲、適用可能性、または構造を限定することを目的としていない。例示的実施形態の以下の説明は、当業者が例示的実施形態を実行できるような説明を提供する。添付の請求項に記載される精神と範囲を逸脱せずに、構成要素の機能と配置に様々な変更を加えることができると理解される。
【００５８】
本文書で使用する場合、本開示全体を通じて「ポータブル電子装置」（ＰＥＤ）は、通信に使用される無線装置と、バッテリまたは他の独立形状の動力エネルギーを必要とするその他のアプリケーションとを指す。これは、携帯電話、スマートフォン、個人情報端末（ＰＤＡ）、携帯コンピュータ、ポケットベル、携帯マルチメディアプレーヤ、携帯ゲームコンソール、ラップトップコンピュータ、タブレットコンピュータ、ウェアラブル装置、電子リーダなどの装置を含むが、それらに限定されない。
【００５９】
本文書で使用する場合、本開示全体を通じて「固定電子装置」（ＦＥＤ）は、通信用に使用される無線および／または有線装置と、動力を得るために固定インタフェースとの接続を必要とするその他のアプリケーションとを指す。これは、ラップトップコンピュータ、パーソナルコンピュータ、コンピュータサーバ、キオスク、ゲームコンソール、デジタルセットトップボックス、アナログセットトップボックス、インターネット使用可能機器、インターネット使用可能テレビ、マルチメディアプレーヤを含むが、それらに限定されない。
【００６０】
本文書で使用する場合、本開示全体を通じて「ウェアラブル装置」は、ユーザが着用する電子装置を指し、衣服の下、衣服の内、衣服と共に、または衣服上に着用し、より広範な種類のウェアラブル技術の一部を成す装置と、それとは対照的に全般または特殊用途情報技術およびメディア開発に関する「ウェアラブルコンピュータ」とを含む。このようなウェアラブル装置および／またはウェアラブルセンサは、スマートフォン、スマートウォッチ、ｅ−テキスタイル、スマートシャツ、アクティビティトラッカー、スマートグラス、ジュエリー、センサなどを含むが、それらに限定されない。
【００６１】
本文書で使用する場合、「アプリケーション」（一般的には「アプリ」と称する）は、「ソフトウェアアプリケーション」、「ソフトウェアスイート」の構成要素、個人がアクティビティを実行できるように設計されたコンピュータプログラム、電子装置がアクティビティを実行できるように設計されたコンピュータプログラム、ローカルおよび／または遠隔電子装置と通信するように設計されたコンピュータプログラムを指す場合があるが、それらに限定されない。よって、アプリケーションは、（コンピュータを動作させる）オペレーティングシステム、（保全または汎用作業を実行する）ユーティリティ、（コンピュータプログラムを作成する）プログラミングツールとは異なる。概して、発明の実施形態に関する以下の説明において、アプリケーションは通常、ＰＥＤおよび／またはＦＥＤに永久的および／または一時的にインストールされるソフトウェアとして提示される。
【００６２】
本文書で使用する場合、「ソーシャルネットワーク」または「ソーシャルネットワークサービス」は、例えば、興味、アクティビティ、背景、実生活の結びつきを共有することができるソーシャルネットワークまたはソーシャルリレーションを構築するプラットフォームを指す場合があるが、それらに限定されない。これは、Ｆａｃｅｂｏｏｋ、Ｇｏｏｇｌｅ＋、Ｔｕｍｂｌｒ、Ｉｎｓｔａｇｒａｍ、Ｒｅｄｄｉｔ、Ｐｉｎｔｅｒｅｓｔ、Ｔｗｉｔｔｅｒなどの米国ベースのサービスのソーシャルネットワークだけでなく、Ｎｅｘｏｐｉａ、Ｂａｄｏｏ、Ｂｅｂｏ、ＶＫｏｎｔａｋｔｅ、Ｄｅｌｐｈｉ、Ｈｉ５、Ｈｙｖｅｓ、ｉＷｉＷ、Ｎａｓｚａ−Ｋｌａｓａ、Ｓｏｕｐ、Ｇｌｏｃａｌｓ、Ｓｋｙｒｏｃｋ、Ｔｈｅ  Ｓｐｈｅｒｅ、ＳｔｕｄｉＶＺ、Ｔａｇｇｅｄ、Ｔｕｅｎｔｉ、ＸＩＮＧ、Ｏｒｋｕｔ、Ｍｘｉｔ、Ｃｙｗｏｒｌｄ、Ｍｉｘｉ、ｒｅｎｒｅｎ、Ｕｓｈａｈｉｄｉ、ｗｅｉｂｏ、Ｗｒｅｔｃｈなどを含むが、それらに限定されない。
【００６３】
本文書で使用する場合、「ソーシャルメディア」または「ソーシャルメディアサービス」は、人々が仮想コミュニティおよびネットワークにおいて情報およびアイデアを作成、共有、および／または交換する対話手段を指す場合があるが、それに限定されない。これは、雑誌、インターネットフォーラム、ウェブログ、ソーシャルブログ、ミニブログ、ウィキ、ソーシャルネットワーク、ポッドキャスト、写真または画像、映像、レーティング、ソーシャルブックマークなどに関連するソーシャルメディアサービスだけでなく、ブログ、画像共有、映像ログ、壁新聞、音楽共有、クラウドソーシング、ボイスオーバＩＰを活用するソーシャルメディアサービスを含むが、それらに限定されない。ソーシャルメディアサービスは、例えば、共同プロジェクト（例えば、Ｗｉｋｉｐｅｄｉａ）；ブログおよびミニブログ（例えば、ＴｗｉｔｔｅｒＴＭ）；コンテンツコミュニティ（例えば、ＹｏｕＴｕｂｅ（登録商標）とＤａｉｌｙＭｏｔｉｏｎ）；ソーシャルネットワークサイト（例えば、ＦａｃｅｂｏｏｋＴＭ）；仮想ゲーム社会（例えば、Ｗｏｒｌｄ  ｏｆ  ＷａｒｃｒａｆｔＴＭ）；仮想ソーシャル社会（例えば、Ｓｅｃｏｎｄ  ＬｉｆｅＴＭ）に分類することができる。
【００６４】
本文書で使用する場合、「企業」は、ユーザ、顧客、または消費者へのサービスおよび／または製品の提供者を指す場合があるが、それらに限定されない。これは、小売店、店舗、市場、オンライン市場、製造業者、オンライン小売店、慈善団体、公益企業、サービスプロバイダ、政党、擁護団体、活動家団体、政府、政府組織、非政府組織を含むが、それらに限定されない。上記企業は、会社が直接所有および管理することができる、あるいは、フランチャイズ事業者の指示と管理の下で加盟店が所有および運営することができる。
【００６５】
本文書で使用する場合、「サービスプロバイダ」は、サービスおよび／または企業および／または個人および／または個人の集団および／またはマイクロプロセッサを備える装置の第三者プロバイダを指す場合があるが、それらに限定されない。つまり、サービスおよび／または製品を、企業単独、またはサービスプロバイダおよび企業で市販、販売、提供、または流通する小売店、店舗、市場、オンライン市場、製造業者、オンライン小売店、公益企業、独自ブランドプロバイダ、サービスプロバイダを含むが、それらに限定されない。
【００６６】
本文書で使用する場合、「第三者」または「第三者プロバイダ」は、サービスおよび／または製品を、企業および／または個人および／または個人の集団および／またはマイクロプロセッサを備える装置に提供するいわゆる「商業ベースの」プロバイダを指す場合があるが、それに限定されない。消費者および／または顧客は第三者とつながるが、消費者および／または顧客が関心を持つおよび／または、購入する、および／または受け取る実際のサービスおよび／または製品は、企業および／またはサービスプロバイダを通じて提供される。
【００６７】
本文書で使用する場合、「ユーザ」は、ダッシュボード、ウェブサービス、ウェブサイト、ソフトウェアプラグイン、ソフトウェアアプリケーション、グラフィックユーザインタフェース、例えば、本発明の一の実施形態に係るマイクロクラウドソーシングシステムおよびマイクロクラウドソーシングアプリケーション／プラットフォームを介して、サービスプロバイダ、第三者プロバイダ、企業、ソーシャルネットワーク、ソーシャルメディアなどとつながることによって近傍または遠隔で監視、取得、記憶、送信、処理、生成、参加、使用、管理を実行することができる個人または個人の集団を指す場合があるが、それらに限定されない。これは、個人、団体および／または企業の被雇用者、地域社会のメンバー、慈善団体のメンバー、男性、女性、子供、ティーンエージャーを含むが、それらに限定されない。最も広い意味では、ユーザは、本発明の一の実施形態に係るマイクロクラウドソーシングシステムおよびマイクロクラウドソーシングアプリケーション／プラットフォームの１以上の側面の監視、取得、記憶、送信、処理、生成、参加、使用、管理の少なくとも１つを実行できることを特徴とするソフトウェアシステム、機械システム、ロボットシステム、アンドロイドシステムなどもさらに含むことができるが、それらに限定されない。
【００６８】
本文書で使用する場合、「ユーザ情報」は、ユーザ挙動情報、ユーザプロフィール情報、ユーザジオロケーション情報、ユーザバイオメトリック情報、現在および／または過去のバイオメトリック情報から引き出されるユーザ情報の推定および／または予想を指すことができるが、それらに限定されない。本文書で使用される場合、「バイオメトリック」情報は、環境、医学的状態、生物学的状態、生理学的状態、化学的状態、大気環境状態、位置状態、神経学的状態、薬学的状態を含むがそれらに限定されないサブセットの状態、および上記これらの１以上の状態のうち１以上の具体的側面に関連するデータによって特徴付けられるユーザに関するデータを指すことができるが、それには限定されない。
【００６９】
本文書で使用する場合、「電子コンテンツ」（「コンテンツ」または「デジタルコンテンツ」とも称する）は、記憶、送信、受信、および／または変換される際にデジタルデータの形式で存在する任意の種類のコンテンツを指す場合があるが、それらに限定されず、これらのステップのうちの１つ以上はアナログであってもよいが、通常はデジタルである。デジタルコンテンツの形式は、個々のファイルにデジタル形式で一斉通信される、ストリーミングされる、あるいは含まれる情報を含むが、それに限定されない。狭い範囲では、デジタルコンテンツの種類は、ＭＰ３、ＪＰＧ、ＡＶＩ、ＴＩＦＦ、ＡＡＣ、ＴＸＴ、ＲＴＦ、ＨＴＭＬ、ＸＨＴＭＬ、ＰＤＦ、ＸＬＳ、ＳＶＧ、ＷＭＡ、ＭＰ４、ＦＬＶ、ＰＰＴなどの一般的なメディアタイプを含む。例えば、ｈｔｔｐ：／／ｅｎ．ｗｉｋｉｐｅｄｉａ．ｏｒｇ／ｗｉｋｉ／Ｌｉｓｔ＿ｏｆ＿ｆｉｌｅ＿ｆｏｒｍａｔｓを参照されたい。より広範なアプローチでは、デジタルコンテンツは、任意の種類のデジタル情報、例えば、デジタルで更新された天気予報、ＧＰＳマップ、電子ブック、写真、映像、ＶｉｎｅＴＭ、ブログ投稿、ＦａｃｅｂｏｏｋＴＭ投稿、ＴｗｉｔｔｅｒＴＭツイート、オンラインＴＶ、シンプルメッセージシステム（ＳＭＳ）メッセージ、有線インタフェースを介して送信されるデータ、無線インタフェースを介して送信されるデータなどを含むことができる。デジタルコンテンツは、ユーザのリクエストに応答して、生成、選択、作成、変更、送信された少なくとも１つのデジタルデータであり、このリクエストは例えばクエリ、検索、トリガ、アラーム、メッセージであってもよい。
【００７０】
本文書で使用する場合、「文書」という文言は、機械可読および機械記憶可能製品を指す場合があるが、それらには限定されない。文書は、ファイル、ファイルの組み合わせ、他のファイルへのリンクを埋めこんだ１つ以上のファイルであってもよい。ファイルは、テキスト、音声、画像、映像などの任意の種類とすることができる。エンドユーザに供給される文書の一部も文書の「コンテンツ」とみなすことができる。文書は、コンテンツ（文言や画像など）と、そのコンテンツ（例えば、ｅメールフィールドと対応付けデータ、ＨＴＭＬタグと対応付けデータなど）の意味の表示との両方を含む「構造化データ」を含むことができる。インターネットのコンテキストでは、一般的な文書はウェブページである。ウェブページは、大抵の場合コンテンツを含み、埋込み情報（メタ情報、ハイパーリンクなど）および／または埋込命令（Ｊａｖａｓｃｒｉｐｔ（登録商標）など）を含んでもよい。多くの場合、文書は一意のアドレス指定可能な記憶位置を有するため、インターネット上の情報にアクセスするのに使用される一意アドレスとして使用されるユニバーサルリソースロケータ（ＵＲＬ）などのアドレス指定可能位置によって一意に特定することができる。
【００７１】
本文書で使用する場合、「画面」および／または「カード」は、ユーザに提示されるユーザインタフェースの一部または全部を形成し、本発明の実施形態に係るマイクロクラウドソーシングシステムおよびマイクロクラウドソーシングアプリケーション／プラットフォーム（ＭＣＳＳＡＰ）を実行またはアクセスする表示画面を指すことができるが、それには限定されない。いくつかの実施形態では、カードは、カードテーブル上の１組のカードと同じように画面上に表示させることができる。より広いアプローチでは、画面および／またはカードは、画面および／またはカード内のデジタルコンテンツを提示するＰＥＤまたはＦＥＤの表示能力に応じて、他のフォーマットで表示することもできる。優れたグラフィック表示機能を備えるスマートフォン、タブレット、ラップトップなどの装置に関して本発明の実施形態を説明したが、本発明の実施形態は、グラフィック機能をさほどおよび／または全く使用せずに、グラフィック機能を備えていない一般的な携帯電話などの他のＰＥＤおよび／またはＦＥＤでも実行することができる。例えば、１セットのカード内の各カードはテキスト、ＳＭＳメッセージ、またはｅメールの要素と置き換えることができ、画面は例えばｅメールと置き換えることができる。
【００７２】
図１は、発明の実施形態に係る、発明の実施形態を採用することができるマイクロクラウドソーシングシステムおよびマイクロクラウドソーシングアプリケーション／プラットフォーム（ＷＣＳＳＡＰ）をサポートするネットワーク環境１００を示す。このようなＭＣＳＳＡＰは、例えば複数のチャネルと動的コンテンツをサポートする。図示するように、第１のユーザ群１００Ａおよび第２のユーザ群１００Ｂはそれぞれ遠距離通信ネットワーク１００とインタフェースをとる。代表的な遠距離通信アーキテクチャ内で、遠隔中央交換器１８０は、例えば長距離ＯＣ−４８／ＯＣ−１９２バックボーン要素、ＯＣ−４８広域ネットワーク（ＷＡＮ）、受動光ネットワーク、無線リンクを含むことができるネットワーク１００を介して、遠距離通信サービスプロバイダネットワークの残りと通信する。中央交換器１８０は、ネットワーク１００を介して地方、地域、国際交換器（明瞭化のため図示せず）と接続され、ネットワーク１００を介して第１のユーザ群１００Ａおよび第２のユーザ群１００ＢにＷｉ−Ｆｉセルをそれぞれ提供する第１のセルラーＡＰ１９５Ａおよび第２のセルラーＡＰ１９５Ｂに接続される。また、第１のＷｉ−Ｆｉノード１１０Ａおよび第２のＷｉ−Ｆｉノード１１０Ｂもネットワーク１００に接続され、第２のＷｉ−Ｆｉノード１１０Ｂはルータ１０５を介してネットワーク１００に接続される。第２のＷｉ−Ｆｉノード１１０Ｂは、他の第１のユーザ群１００Ａおよび第２のユーザ群１００Ｂが存在する企業１６０、例えば、ＷａｌＭａｒｔＴＭと対応付けられる。第２のユーザ群１００Ｂは、ＤＳＬ、ダイヤルアップ、ＤＯＣＳＩＳ、イーサネット（登録商標）、Ｇ．ｈｎ、ＩＳＤＮ、ＭｏＣＡ、ＰＯＮ、電力線通信（ＰＬＣ）などを含むが、それらに限定されない有線インタフェースを介してネットワーク１００に接続してもよく、ルータ１０５などのルータを通しても通さなくてもよい。
【００７３】
また、企業１６０は、ユーザがＮＦＣプロトコルにより近接場通信（ＮＦＣ）を介して情報を提供することができる店頭（ＰＯＳ）端末１０５ＡおよびＰＯＳポータブル機器１０５Ｂとも対応付けられる。上記プロトコルは、ＩＳＯ／ＩＥＣ１４４４３やＦｅｌｉＣａ（登録商標）などの既存の無線周波数特定（ＲＦＩＤ）規格に基づくプロトコル、ＩＳＯ／ＩＥＣ１８０９２などに基づく規格、ＮＦＣフォーラムによって定義されるプロトコルを含むが、それらに限定されない。アプリケーションは、無接触トランザクション、データ交換、Ｗｉ−Ｆｉなどのより複雑な通信だけでなく、ＮＦＣ機器と、通常は「タグ」と称される動力源を持たないＮＦＣチップとの間の通信の簡易設定を含む。例えば、上記の２つの装置はＮＦＣを採用して、最初にＭＡＣアドレスとＩＰアドレスをシェアした後、Ｗｉ−Ｆｉ  Ｄｉｒｅｃｔを使用してファイルと文書をシェアする。
【００７４】
第１のＡＰ１１０Ａと対応付けられるセル内で、第１のユーザ群１００Ａは、例えば、ラップトップコンピュータ１５５、ポータブルゲームコンソール１３５、タブレットコンピュータ１４０、スマートフォン１５０、携帯電話１４５、携帯マルチメディアプレーヤ１３０などの様々なＰＥＤを採用することができる。第２のＡＰ１１０Ｂと対応付けられるセル内で、第２のユーザ群１００Ｂは例えばゲームコンソール１２５、パーソナルコンピュータ１１５、無線／インターネット使用可能テレビ１２０、ケーブルモデム１０５を含む様々なＦＥＤを採用することができる。第１のセルラーＡＰ１９５Ａおよび第２のセルラーＡＰ１９５Ｂは、例えば、セルラーＧＳＭ（登録商標）（モバイル通信用グローバルシステム）電話通信サービスとデータ転送支援を向上させた３Ｇおよび４Ｇ進化サービスをそれぞれ提供する。第２のセルラーＡＰ１９５Ｂは、例示的実施形態において、第１のユーザ群１００Ａおよび第２のユーザ群１００Ｂにサービスエリアを提供する。もしくは、第１のユーザ群１００Ａと第２のユーザ群１００Ｂは地理的に離れており、明瞭化のために図示していないが、１または複数のネットワークオペレータによって地理的に分散された複数ＡＰを通じてネットワーク１００にアクセスすることができる。第１のセルラーＡＰ１９５Ａは図示されるように、第１のユーザ群１００Ａと、第２のユーザ群１００Ｂおよび第１のユーザ群１００Ａを含む環境１７０にサービスエリアを提供する。したがって、第１のユーザ群１００Ａおよび第２のユーザ群１００Ｂは、特定の通信インタフェースにより、ＩＥＥＥ８０２．１１、ＩＥＥＥ８０２．１５、ＩＥＥＥ８０２．１６、ＩＥＥＥ８０２．２０、ＵＭＴＳ、ＧＳＭ８５０、ＧＳＭ９００、ＧＳＭ１８００、ＧＳＭ１９００、ＧＰＲＳ、ＩＴＵ−Ｒ５．１３８、ＩＴＵ−Ｒ５．１５０、ＩＴＵ−Ｒ５．２８０、ＩＭＴ−１０００などの１つ以上の無線通信規格を通じてネットワーク１００と通信することができる。当業者にとって明白であるように、多くの携帯および固定電子装置は同時に複数の無線プロトコルをサポートすることができるので、例えば、ユーザは電話通信やＳＭＳなどのＧＳＭサービス、Ｗｉ−Ｆｉ／ＷｉＭＡＸデータ通信、ＶＯＩＰ、インターネットアクセスを採用することができる。したがって、第１のユーザ群１００Ａ内のポータブル電子装置は、ＩＥＥＥ８０２．１５やＢｌｕｅｔｏｏｔｈ（登録商標）などの規格を通じて、その場限りの提携を形成することができる。
【００７５】
さらに、ネットワーク１００は、ソーシャルネットワーク（ＳＯＣＮＥＴＳ）１６５、Ｂｏｓｔｏｎ  Ｓｋｉ＆Ｓｐｏｒｔｓ  ＣｌｕｂやＢｏｓｔｏｎ  Ｃｅｎｔｅｒｓ  ｆｏｒ  Ｙｏｕｔｈ＆Ｆａｍｉｌｉｅｓなどの第１のサービスプロバイダ１７０Ａと第２のサービスプロバイダ１７０Ｂ、ＭＣＳＳＡＰ  ＰＲＯＶＩＤＥＲＴＭなどのＭＣＳＳＡＰプロバイダ１７０Ｃ、アメリカがん協会や国境なき医師団などの第１の慈善団体１７５Ａおよび第２の慈善団体１７５Ｂ、明瞭化のために図示しない他のサーバと共に機能する第１のサーバ１９０Ａと第２のサーバ１９０Ｂに接続される。Ｂｒａｎｄ  ＰｏｗｅｒＴＭなどの宣伝者／広告主１８５も示される。第１のサーバ１９０Ａおよび第２のサーバ１９０Ｂは、発明の実施形態により、マイクロクラウドソーシングシステムおよびマイクロクラウドソーシングアプリケーション／プラットフォーム（ＭＣＳＳＡＰ）と対応付けられる複数のサービス；ＭＣＳＳＡＰ機能を利用するＳＯＣＮＥＴまたはソーシャルメディア（ＳＯＭＥ）のプロバイダ；ＭＣＳＳＡＰ機能を利用しないＳＯＣＮＥＴおよび／またはＳＯＭＥのプロバイダ；ＰＥＤＳおよび／またはＦＥＤＳへのサービスのプロバイダ；有線および／または無線通信の１つ以上の側面のプロバイダ；ＭＣＳＳＡＰ機能を利用する企業１６０；ライセンスデータベース；コンテンツデータベース；画像データベース；コンテンツライブラリ；カスタムデータベース；ウェブサイト；ＭＣＳＳＡＰ機能を利用するおよび／またはＭＣＳＳＡＰ機能のホストとなるＦＥＤおよび／またはＰＥＤにダウンロードあるいはアクセスされるソフトウェアアプリケーションのホストとして機能することができる。第１のコンテンツサーバ１９０Ａおよび第２のコンテンツサーバ１９０Ｂは、検索エンジン、金融サービス、第三者アプリケーション、その他のインターネットベースサービスなどのその他のインターネットサービスのホストとして機能することもできる。
【００７６】
したがって、消費者および／または企業（ＣＯＮＥＮＴ）は企業１６０内のＰＥＤおよび／またはＦＥＤを利用し、例えば、第１のコンテンツサーバ１９０Ａまたは第２のコンテンツサーバ１９０Ｂの一方にアクセスして発明の実施形態に係るＭＣＳＳＡＰ機能を提供するアプリケーションのアクセス／ダウンロードなどの作業を実行し、既にインストールされたアプリケーションを実行してＭＣＳＳＡＰ機能を提供する、ＭＣＳＳＡＰ機能を提供するウェブベースのアプリケーションを実行する、あるいはコンテンツにアクセスすることができる。同様に、ＣＯＮＥＮＴは、第１のセルラーＡＰ１９５Ａと第２のセルラーＡＰ１９５Ｂの一方と第１のＷｉ−Ｆｉノード１１０Ａとを介して、第１のユーザ群１００Ａと第２のユーザ群１００Ｂ内のＰＥＤまたはＦＥＤを利用して、発明の実施形態に係る上記動作またはその他の動作を実行することができる。
【００７７】
本発明の実施形態は、図３〜図３３を参照し、本発明の実施形態に係るＭＣＳＳＡＰにアクセスするＣＯＮＴＥＮＴと、優れたグラフィック表示機能を備えたスマートフォン、タブレット、ラップトップなどの装置に関して説明したが、本発明の実施形態は、図１を参照して上述した通信ネットワークによってサポートされる、このようなグラフィック機能を備えていない他のＰＥＤおよび／またはＦＥＤ、例えば、一般的携帯電話内で実行することができる。したがって、第１のユーザ群１００Ａと第２のユーザ群１００Ｂ内で低グラフィックおよび／または非グラフィックベースのＦＥＤおよび／またはＰＥＤを活用するＣＯＮＴＥＮＴは、ＭＣＳＳＡＰ機能を介してサポートすることができ、ネットワーク１００を介して第１のサーバ１９０Ａと第２のサーバ１９０Ｂと通信することができる。例えば、ＣＯＮＴＥＮＴのＰＥＤおよび／またはＦＥＤをホストとし起動するアプリケーション内のグラフィカルユーザインタフェース（ＧＵＩ）とは異なり、通信は、ＧＵＩ用のコンテンツ（例えば、テキストおよび／または画像）を、ＣＯＮＴＥＮＴのＰＥＤおよび／またはＦＥＤの機能に従い電子メッセージ、例えば、ｅメール、テキスト、またはＳＭＳに描写することを含むが、それらに限定されない１以上の他のチャネルを通じて実行することができる。同様に、例えば、それぞれが異なるマイクロアクションに関連する１セットの１０のカードが、１つのｅメール、１０のＳＭＳメッセージなどとして描写されるように、ＧＵＩ上に描写されるコンテンツ内の複数の要素を一連の／１セットの電子メッセージに変形することができる。
【００７８】
本発明の実施形態では、マイクロアクションは、ＮＦＣ通信にリンクさせることができる、例えば、所定位置に配置されるＮＦＣタグ内に記憶されるコードを取得するユーザによって完了されたものと認可／認証することができる。同様に、端末、キオスク、ＰＯＳ端末、ＰＯＳ携帯機器などとのＮＦＣリンクは、ＭＣＳＳＡＰ  ＧＵＩ、ＳＭＳ、テキスト、ｅメールなどに関して上述した配信フォーマットに加えて、マイクロアクションの送信も提供することができる。同様に、マイクロアクションの認証は、ＮＦＣ通信を介してタグ、装置、端末などからデータを取得した後、認証／完了監視およびＭＣＳＳＡＰ更新のためにＭＣＳＳＡＰなどに戻すことを必要とする。他の本発明の実施形態では、マイクロアクションの環境において、地下構造内にいる、無線到達範囲が不十分である、または存在しない、金属枠／被覆建築物内など無線通信を利用できないとき、ＮＦＣ通信を採用して、例えば、有線インタフェースを介したＭＣＳＳＡＰとの通信用の通信ノードをユーザに提供することができる。
【００７９】
図２は、発明の実施形態に係る、ＭＣＳＳＡＰ機能をサポートする電子装置２０４およびネットワークアクセスポイント２０７を示す。電子装置２０４は例えばＰＥＤおよび／またはＦＥＤであってもよく、上記および下記の追加要素を含むことができる。スマートフォン１５５などの電子装置２０４と、第１のＡＰ１１０などのアクセスポイント（ＡＰ）２０６と、通信サーバ、ストリーミングメディアサーバなどの１つ以上のネットワーク装置２０７と、第１のサーバ１９０Ａと第２のサーバ１９０Ｂなどのルータとを含むシステム２００の概略機能図の一部として、電子装置２０４内のプロトコルアーキテクチャを示す。ネットワーク装置２０７は、図１を参照して上述したようなネットワーク、有線、無線および／または光通信リンクの組み合わせを介して、および上述するように直接、ＡＰ２０６に接続することができる。ネットワーク装置２０７は、ネットワーク１００と、ソーシャルネットワーク（ＳＯＣＮＥＴＳ）１６５と、ソーシャルネットワーク（ＳＯＣＮＥＴＳ）１６５と、Ｂｏｓｔｏｎ  Ｓｋｉ＆Ｓｐｏｒｔｓ  ＣｌｕｂやＢｏｓｔｏｎ  Ｃｅｎｔｅｒｓ  ｆｏｒ  Ｙｏｕｔｈ＆Ｆａｍｉｌｉｅｓなどの第１のユーザネットワーク１７０Ａと第２のユーザネットワーク１７０Ｂと、ＭＣＳＳＡＰ  ＰＲＯＶＩＤＥＲＴＭなどのＭＣＳＳＡＰプロバイダ１７０Ｃと、アメリカがん協会や国境なき医師団などの第１の慈善団体１７５Ａと第２の慈善団体１７５Ｂと、に接続される。Ｂｒａｎｄ  ＰｏｗｅｒＴＭなどの宣伝者／広告主１８５も示される。
【００８０】
電子装置２０４は、１つ以上のプロセッサ２１０と、プロセッサ２１０に連結されるメモリ２１２とを含む。ＡＰ２０６は、１つ以上のプロセッサ２１１と、プロセッサ２１０に連結されるメモリ２１３とをさらに含む。プロセッサ２１０および２１１の非包括的リストの例は、中央処理部（ＣＰＵ）、デジタル信号プロセッサ（ＤＳＰ）、縮小命令セットコンピュータ（ＲＩＳＣ）、縮小命令セットコンピュータ（ＣＩＳＣ）などを含む。さらに、プロセッサ２１０および２１１のいずれも、用途特定集積回路（ＡＳＩＣ）の一部または用途特定標準製品（ＡＳＳＰ）の一部であってもよい。メモリ２１２および２１３の非包括的リストの例は、レジスタ、ラッチ、ＲＯＭ、ＥＥＰＲＯＭ、フラッシュメモリ装置、不揮発性ランダムアクセスメモリ装置（ＮＶＲＡＭ）、ＳＤＲＡＭ、ＤＲＡＭ、ダブルデータレート（ＤＤＲ）メモリ装置、ＳＲＡＭ、ユニバーサルシリアルバス（ＵＳＢ）脱着可能メモリなどの半導体装置の任意の組み合わせを含む。
【００８１】
電子装置２０４は、プロセッサ２１０のいずれかに接続される、マイクロフォンなどの音声入力要素２１４と、スピーカなどの音声出力要素２１６とを含むことができる。電子装置２０４は、プロセッサ２１０のいずれかに接続される、ビデオカメラやカメラなどの映像入力要素２１８と、ＬＣＤディスプレイなどの映像出力要素２２０を含むことができる。また、電子装置２０４はキーボード２１５とタッチパッド２１７を含み、該タッチパッドは、ユーザがコンテンツを入力する、あるいは１つ以上のアプリケーション２２２内の機能を選択することができる物理的キーボードタッチパッドであってもよい。もしくは、キーボード２１５とタッチパッド２１７は、電子装置２０４内でディスプレイの一部を形成する接触感応要素の所定領域であってもよい。１つ以上のアプリケーション２２２が通常、メモリ２１２に記憶され、プロセッサ２１０の組み合わせによって実行可能である。電子装置２０４は、プロセス２１０に３次元運動入力を提供する加速度計２６０と、プロセッサ２１０に地理的位置情報を提供するＧＰＳ２６２も含む。
【００８２】
電子装置２０４はプロトコルスタック２２４を含み、ＡＰ２０６は通信スタック２２５を含む。システム２００内で、プロトコルスタック２２４がＩＥＥＥ８０２．１１プロトコルスタックとして示されるが、インターネットエンジニアリングタスクフォース（ＩＥＴＦ）マルチメディアプロトコルスタックなどのその他のプロトコルスタックを利用することもできる。同様に、ＡＰスタック２２５はプロトコルスタックを活用するが、明瞭化のために拡張していない。プロトコルスタック２２４およびＡＰスタック２２５の構成要素は、ソフトウェア、ファームウェアおよび／またはハードウェアの組み合わせで実現することができる。プロトコルスタック２２４は、１つ以上のＦｒｏｎｔ−Ｅｎｄ  Ｔｘ／Ｒｘ＆Ａｎｔｅｎｎａ２２８に接続されるＩＥＥＥ８０２．１１対応ＰＨＹモジュール２２６と、ＩＥＥＥ８０２．２対応ＬＬＣモジュール２３２に接続されるＩＥＥＥ８０２．１１対応ＭＡＣモジュール２３０とを含む。プロトコルスタック２２４は、ネットワーク層ＩＰモジュール２３４、トランスポート層ユーザデータグラムプロトコル（ＵＤＰ）モジュール２３６、トランスポート層通信制御プロトコル（ＴＣＰ）モジュール２３８を含む。
【００８３】
プロトコルスタック２２４は、セッション層リアルタイムトランスポートプロトコル（ＲＴＰ）モジュール２４０、セッション告知プロトコル（ＳＡＰ）モジュール２４２、セッション開始プロトコル（ＳＩＰ）モジュール２４４、リアルタイムストリーミングプロトコル（ＲＴＳＰ）モジュール２４６をさらに含む。プロトコルスタック２２４は、プレゼンテーションレイヤメディア移動モジュール２４８、コール制御モジュール２５０、１つ以上の音声コーデック２５２、１つ以上の映像コーデック２５４を含む。アプリケーション２２２は、ＡＰ２０６を用いて、装置２０７のいずれかとの通信セッションを維持する、および／または終了することができる。通常、アプリケーション２２２は、目的に応じてＳＡＰ、ＳＩＰ、ＲＴＳＰ、メディア移動、コール制御モジュールを始動させる。一般的には、情報はＴＣＰモジュール２３８、ＩＰモジュール２３４、ＬＬＣモジュール２３２、ＭＡＣモジュール２３０を通じて、ＳＡＰ、ＳＩＰ、ＲＴＳＰ、メディア移動、コール制御モジュールからＰＨＹモジュール２２６へ伝播する。
【００８４】
当業者にとって自明であるように、電子装置２０４の構成要素は、ＡＰ２０６内で実現することができ、それらの構成要素はＩＥＥＥ８０２．１１対応ＰＨＹモジュール、ＩＥＥＥ８０２．１１対応ＭＡＣモジュール、ＩＥＥＥ８０２．２対応ＬＬＣモジュール２３２などのプロトコルスタック２２４の１つ以上の構成要素を含むが、それらに限定されない。ＡＰ２０６は、ネットワーク層ＩＰモジュール、トランスポート層ユーザデータグラムプロトコル（ＵＤＰ）モジュール、トランスポート層送信制御プロトコル（ＴＣＰ）モジュール、セッション層リアルタイム転送プロトコル（ＲＴＰ）モジュール、セッション告知プロトコル（ＳＡＰ）モジュール、セッション開始プロトコル（ＳＩＰ）モジュール、リアルタイムストリーミングプロトコル（ＲＴＳＰ）モジュール、メディア移動モジュール、コール制御モジュールをさらに含む。電子装置２０４によって表される可動および固定電子装置は、図示するＩＥＥＥ８０２．１１に加えて１つ以上の追加の無線または有線インタフェースを含んでいてもよく、該インタフェースは、ＩＥＥＥ８０２．１５、ＩＥＥＥ８０２．１６、ＩＥＥＥ８０２．２０、ＵＭＴＳ、ＧＳＭ８５０、ＧＳＭ９００、ＧＳＭ１８００、ＧＳＭ１９００、ＧＰＲＳ、ＩＴＵ−Ｒ５．１３８、ＩＴＵ−Ｒ５．１５０、ＩＴＵ−Ｒ５．２８０、ＩＭＴ−１０００、ＤＳＬ、ダイヤルアップ、ＤＯＣＳＩＳ、イーサネット、Ｇ．ｈｎ、ＩＳＤＮ、ＭｏＣＡ、ＰＯＮ、電力線通信（ＰＬＣ）を含む群から選択することができる。
【００８５】
図３は、初期化中のマイクロクラウドソーシングシステムおよびマイクロクラウドソーシングアプリケーション／プラットフォーム（ＭＣＳＳＡＰ）に関するプロセスフロー３００を示す。図示するように、プロセスフロー３００は第１のサブフロー３００Ａ〜第４のサブフロー３００Ｄを備える。第１のサブフロー３００Ａの開始時、ユーザが既にログインしているか否か、あるいはプロセスが実行されてウェルカムカードを表示しているか否かを判定し、ユーザが下方にスワイプしているか否かを判定し、ユーザが既にメンバーである場合には第２のサブフロー３００Ｂに進む、ユーザが登録されていない場合は第３のサブフロー３００Ｃに進む前に「プレイしましょう」を表示する。プロセスがインストール中で、判定を行っている間、「スプラッシュ」画面がユーザに表示される。ユーザが既にログインしている場合、プロセスは第２のサブフロー３００Ｂに進む。フローが第２のサブフロー３００Ｂに進む場合、ユーザのログイン資格情報がチェックされて、ユーザがログイン可能か否かを判定する。肯定の判定の場合、プロセスが第４のサブフロー３００Ｄに進み、否定の判定の場合、プロセスは新たな資格情報にループする。ユーザは、例えば、第１のサブフロー３００Ａをトリガするソーシャルメディアウェブサイトに既にログインしており、第２のサブフロー３００Ｂに直接向かうことができる。
【００８６】
第３のサブフロー３００Ｃでは、ユーザはＭＣＳＳＡＰにサインアップするように促され、登録が成功するとホーム画面に進み、成功しなければプロセスは第３のサブフロー３００Ｃ内でループする。登録ユーザ用の第４のサブフロー３００Ｄでは、プロセスはログインボーナスを受ける資格があるか否か、例えば、連続３日間ログインした、１日に５回ログインした、所定期間、例えば、１月、四半期、または疑似乱数的に生成された期間の５０％超ログインしたなどの所定基準を満たすか否かを判定する。資格がない場合、ログインカウンタが更新され、プロセスが進んでホーム画面を表示する。資格がある場合、プロセスはデイリーログインボーナスカードを表示し、進んで報酬ポイントが適用されるか否かを決定する。報酬ポイントが適用される場合、「気に入られました」カードが表示される。
【００８７】
図４は以下を示す。
−スプラッシュ画面４００
−ウェルカムカード４１０
−第１の移行カード４２０は、ユーザの上スワイプ動作が検出された後のウェルカムカードである。
−第２の移行カード４３０は、ユーザの下スワイプ動作が検出された後のスワイプアニメーションの一部である。
−第１の画面画像４００で図４に示すようなＭＣＳＳＡＰ  ＰＲＯＶＩＤＥＲクラウンアニメーションをプレイする。
【００８８】
図５は、図３の第１のサブフロー３００Ａでユーザに提示される「プレイしましょう」カード５００と、図３の第３のサブフロー３００Ｃで最初にユーザに提示される第１のサインアップカード５５０とを示す。第１のサインアップカード５５０は、ユーザ名、有効なｅメールアドレス（認証することができる）、ＭＣＳＳＡＰ要件を満たす有効な確認済みのパスワード、ユーザが諸条件に同意するチェックボックスの完成など、ユーザ登録に必須の要件を備える。チェックボックスと対応付けられる表示テキスト内のリンクは、サービス利用規約、プライバシーポリシーなどに関する画面に直接リンクする。この時点で、データが明らかにされていないため、ユーザはＭＣＳＳＡＰにアクセスできない。しかし、図５の第２のサインアップカード５６０で明らかなように、いったんこれらのフィールドがユーザによって完了されると、現在「点灯されていて」選択可能である「レッツゴー」ボタンアイコンを介して示される例では、ＭＣＳＳＡＰに入ることができる。
【００８９】
ＭＣＳＳＡＰのユーザインタフェース（ＵＩ）は画面とカードからなる。本発明の一の実施形態によると、画面は背景に表示される静的要素であり、カードは画面の上に表示して、ユーザによってスワイプすることができる。もしくは、画面を相互に重ねて表示してスワイプしてもよい。本発明の一の実施形態では、下スワイプ動作は、例えば、ＭＣＳＳＡＰ内で誘導するデフォルト動作として定義され、次の画面への移動につながる。上スワイプ動作はカードカルーセルを開けるように初期設定し、左／右スワイプ動作はカードカルーセル、例えば、保留中、動作中、または完了したマイクロアクション（ＭＡ）のスタックを移動するように初期設定することができる。ＭＣＳＳＡＰは、ユーザがどの動作を実行したかを検出し、スワイプアニメーションを完了する。カード、本例の場合、ウェルカムカードの表示と、その後の動作検知とスワイプアニメーションのシーケンスを、図４の第２の画面画像４１０〜第４の画面画像４３０に示す。
【００９０】
登録の際、ユーザはユーザ名を提供する。例えば、ＭＣＳＳＡＰ  ＰＲＯＶＩＤＥＲＴＭ（ＭＣｒｏｗｄｓｏｕｒｃｉｎｇ  Ｃａｎａｄａ  Ｉｎｃ．）によって管理されるＭＣＳＳＡＰでは、Ａｄｍｉｎ、ＭＣＳＳＡＰ  ＰＲＯＶＩＤＥＲまたはＭＣｒｏｗｄｓｏｕｒｃｉｎｇの単語を含むユーザ名は公式ＭＣＳＳＡＰ  ＰＲＯＶＩＤＥＲアカウント、すなわち、ＭＣＳＳＡＰプロバイダでない限り請求できないというようにルールをユーザ名に適用することができる。有効ユーザ名は長さを制限することができる、例えば、１５文字より長くてはならず、アンダーバーを例外として英数字［文字Ａ〜Ｚ、数字０〜９］のみを含むことを要求される。例えば、＠Ｂｉｌｌｙは有効であり、＠Ｂｉｌｌｙ＿も有効であり、＠＿Ｂｉｌｌｙも有効である。いくつかの実施形態では、ユーザ名は、記号、ダッシュ、またはスペースを含まなくてもよい。ユーザ名は大文字と小文字を区別してもしなくてもよいが、登録および表示する際にユーザによってタイプされる大文字と小文字を考慮する。大文字と小文字を区別しないＭＣＳＳＡＰの場合、＠Ｂｉｌｌｙと＠ｂｉｌｌｙは同じユーザであるが、登録する際にユーザが入力したとおりに表示することができる。ユーザ名は一意である。
【００９１】
ｅメールアドレスに関しては、例えば、ｅメールアドレスに送信されるｅメールにアクセスして、アクション、例えば、応答やハイパーリンクの選択を実行するようにユーザに要求することによって認証することができる。サインアップ中、キー入力上の問題を回避するため、ユーザはパスワードを２回タイプし、ＭＣＳＳＡＰは認証を実行して両方の入力が同一であることを確認しなければならない。上述したように、ユーザはチェックボックスをタップすることによってＭＣＳＳＡＰのサービス利用規約およびプライバシーポリシーを承認しなければならないが、本発明の別の実施形態では、承認は暗示的であってもよいし、あるいはＭＣＳＳＡＰの使用への進行をデフォルトとしてもよい。任意で、登録する際、例えば、ＭＣＳＳＡＰおよびそのパートナーからのｅメールを受け取るオプトインを介して、ユーザは承認しＭＣＳＳＡＰおよびパートナーからお知らせを受け取ることができる。
【００９２】
本発明の一の実施形態では、ユーザは１以上のソーシャルネットワーク、例えば、ＦａｃｅｂｏｏｋＴＭアカウントまたはＴｗｉｔｔｅｒＴＭアカウントに接続することができ、ＭＣＳＳＡＰは最初に有効化されるアカウントからでも、ユーザによって有効化され選択されるアカウントからでも名前やプロフィール写真などを検索する。上記実施形態では、ユーザがＦａｃｅｂｏｏｋＴＭ、次にＴｗｉｔｔｅｒＴＭに接続すると、ＭＣＳＳＡＰはＦａｃｅｂｏｏｋＴＭプロフィール写真を使用し、ユーザがＴｗｉｔｔｅｒＴＭ、次にＦａｃｅｂｏｏｋＴＭに接続すると、ＭＣＳＳＡＰはＴｗｉｔｔｅｒＴＭプロフィールマルチメディアコンテンツを使用する。任意で、ユーザは「省略」ボタン／アイコンをタップすることによって、登録の「ソーシャル」のセクションを省略してもよい。ＭＣＳＳＡＰは、チェックボックスに対するチェックマークやプロンプトなどによって有効化されるユーザ位置へのアクセスを要求することができる。
【００９３】
図６および図６Ｂは、本発明の一の実施形態に係るＭＣＳＳＡＰにおけるサインアッププロセスサブフロー６００および６５０を示す。図示するように、プロセスサブフロー６００は、以下の第１のフロー６００Ａ〜第４のフロー６００Ｄを示す。
−第１のフロー６００Ａは、ＭＣＳＳＡＰのルールに従うユーザのユーザ名の入力に関係する。
−第２のフロー６００Ｂは、ＭＣＳＳＡＰのルールに従うユーザのｅメールアドレスの入力に関係し、明瞭化のため認証は表示しない。
−第３のフロー６００Ｃは、ＭＣＳＳＡＰのルールに従うユーザのパスワードの入力に関係する。
−第４のフロー６００Ｄは、ＭＣＳＳＡＰのルールに従うユーザのパスワード確認の入力に関係する。
【００９４】
図示するように、プロセスサブフロー６５０は、以下に示すように第１のフロー６５０Ａと第２のフロー６５０Ｂを備える。
−第１のフロー６５０Ａは、ニュース／ｅメール通知に関するユーザの嗜好の決定と、サービス利用規約、プライバシーポリシーなどの承認の認証に関する。
−第２のフロー６５０Ｂはソーシャルネットワークアソシエーション、例えば、ＦａｃｅｂｏｏｋＴＭおよびＴｗｉｔｔｅｒＴＭの決定に関係するが、例えば、ユーザによる登録ＳＯＣＮＥＴの選択に基づき、他のＳＯＣＮＥＴを含める／省くことができる。
【００９５】
図７および図８は、本発明の一の実施形態に係るＭＣＳＳＡＰの図６Ａおよび図６Ｂのサインアッププロセスフローに提示される画面画像を示す。
【００９６】
図７は、第１の画面画像７１０〜第６の画面画像７６０を示す。
−第１の画面画像７１０はサインアップ画面を示す。
−第２の画面画像７２０では、ユーザがタッチスクリーンをタップする、例えばタッチスクリーンキーボードをトリガする。
−第３の画面画像７３０では、入力されたユーザ名が無効である。
−第４の画面画像７４０では、ユーザが有効で利用可能なユーザ名を入力している。
−第５の画面画像７５０では、ユーザが無効なｅメールアドレスを入力している。
−第６の画面画像７６０では、ユーザが有効なｅメールアドレスを入力している。
【００９７】
図８Ａおよび図８Ｂは、第１の画面画像８１０〜第５の画面画像８５０を示す。
−第１の画面画像８１０は、ユーザのパスワードの妥当性検査時の画面を示す。
−第２の画面画像８２０では、全テキストフィールドが認証されており、キーボードが隠されている。
−第３の画面画像８３０では、ユーザは、サービス利用規約に対応付けられるチェックボックスにチェックしている。
−第４の画面画像８４０は、ユーザが登録画面内のハイパーテキストリンクを有効化する場合にＭＣＳＳＡＰのサービス利用規約を表示する画面の一例である。
−第５の画面画像８５０は、ユーザが登録画面内のハイパーテキストリンクを有効化する場合にＭＣＳＳＡＰのプライバシーポリシーを表示する画面の一例である。
【００９８】
したがって、第１の画面画像７１０内でテキストフィールドのいずれかをタップすると、キーボードが現れて、第２の画面画像７２０に示すように、コンテンツが上方に移動する。すべてのテキストフィールドが埋められて、サービス利用規約のチェックボックスがチェックされると、「レッツゴー！」ボタンが有効になる。各テキストフィールドの妥当性検査は、本発明の一の実施形態では、有効にされた「レッツゴー！」ボタンをタップすることに基づいてもよいし、ユーザが別のテキストフィールドをタップすることに基づいてもよく、後者はユーザがテキストを現在入力しているテキストフィールドの完了を示唆する。ユーザがタイプし始めると、ＭＣＳＳＡＰはデフォルトテキストを消去する。上述したように、ユーザは、サインアップ（登録）画面上の対応するハイパーテキストリンクをタップすることによって、ＭＣＳＳＡＰのサービス利用規約とプライバシーポリシーにアクセスすることができる。第４の画面画像８４０と第５の画面画像８５０に示される画面のいずれかで戻る機能をタップすると、ユーザがサインアップ画面に戻る。
【００９９】
図９は、第１の画面画像９１０〜第６の画面画像９６０を示す。
−第１の画面画像９１０は、サインアップ画面を示し、ユーザは賞やニュースを受け取る希望を示す第２のチェックボックスをチェックしている（図示されるように、サービス利用規約およびプライバシーポリシー内で、ＭＣＳＳＡＰが第三者スポンサー、広告主、宣伝者、賞を授与する企業などとユーザデータを共有できることを示す）。
−第２の画面画像９２０では、登録が正確に完了すると、ユーザには、ユーザがＭＣＳＳＡＰの登録とメンバーシップをＳＯＣＮＥＴにリンクする、あるいはスキップすることができるＳＯＣＮＥＴページが提示される（図示されるように、ＦａｃｅｂｏｏｋＴＭおよびＴｗｉｔｔｅｒＴＭログが提示されるが、他のＳＯＣＮＥＴ、様々な数のＳＯＣＮＥＴ、当業者にとって既知の１以上のＳＯＣＮＥＴを選択する様々な手段が提示される）。
−第３の画面画像９３０では、ユーザは第２の画面画像９２０でＦａｃｅｂｏｏｋＴＭアイコンをタップしており、ＭＣＳＳＡＰはＦａｃｅｂｏｏｋＴＭ  Ｃｏｎｎｅｃｔを起動し、そこでユーザはＦａｃｅｂｏｏｋＴＭ資格情報を入力してログインし、ＭＣＳＳＡＰに対応付けられる／ＭＣＳＳＡＰを許可する。
−第４の画面画像９４０では、ＭＣＳＳＡＰは、ＦａｃｅｂｏｏｋＴＭアカウントとの対応付け後、ＴｗｉｔｔｅｒＴＭアカウントと対応付けしたいか否かをユーザに尋ねる。
−第５の画面画像９５０では、ユーザは第４の画面画像９４０でＴｗｉｔｔｅｒＴＭアイコンをタップしており、ＭＣＳＳＡＰはサブメニューを起動し、ユーザはＴｗｉｔｔｅｒＴＭアカウントを選択し、適宜、資格情報を入力してログインし、ＭＣＳＳＡＰと対応付ける／ＭＣＳＳＡＰを許可することができる。
−第６の画面画像９６０では、ＭＣＳＳＡＰはポップアップサブメニューを通じて、ユーザのＴｗｉｔｔｅｒＴＭアカウントへのアクセス確認を要求する。
【０１００】
図１０は、第１の画面画像１０１０〜第３の画面画像１０３０を示す。
−第１の画面画像１０１０は、図９に示す第４の画面画像９４０とは別の画面であり、ユーザは、最初にＴｗｉｔｔｅｒＴＭと対応付けられることを選択しており、ＦａｃｅｂｏｏｋＴＭアカウントに対応付けられるように促されている。
−第２の画面画像１０２０は、ＳＯＣＮＥＴとの対応付けの完了または図９の第２の画面画像９２０の「スキップ」の選択後にユーザに提示される画面を示しており、ユーザはＭＣＳＳＡＰによるジオロケーション情報のアクセスを可能にすることができる。
−第３の画面画像１０３０は、ユーザがＭＣＳＳＡＰによるジオロケーション情報のアクセスを許可するチェックボックスにチェックしたとき、ユーザに提示される画面を示しており、ユーザは第２の認証を行って、ＭＣＳＳＡＰに現在位置をアクセスさせることができる。
【０１０１】
図３を参照する上述したログインプロセスに関して、ユーザはいったんログインすると、第１のサブフロー３００Ａから明らかなように、手動でログアウトする、あるいは装置からＭＣＳＳＡＰを切り離すまで、ＭＣＳＳＡＰとの対応付けの起動時に自動的にログインされる。ログイン後、まずユーザには図１１の第１の画面画像１１１０が提示され、ユーザはパスワードと共にユーザ名またはｅメールアドレスをタイプするように要求される。データを入力するテキストフィールドの選択後、画面は第２の画面画像１１２０に移行し、ユーザに対して装置上のタッチスクリーンインタフェースにキーボードが表示される。いったん両方のフィールドが完了すると、第３の画面画像１１３０が提示されて、「レッツゴー！」ボタンが使用可能になる。各画面に「パスワードを忘れました」リンクが提示される。ログインに失敗した場合、第４の画面画像１１４０が提示され、テキストフィールドが視覚的に変更される。任意で、ユーザ名／ｅメールアドレスまたはパスワードのいずれかが正しくない場合、第４の画面画像１１４０内のフィールドのみをユーザに示すことができる。ユーザが「パスワードを忘れました」リンクを選択する場合、ユーザには第５の画面画像１１５０が提示され、ＭＣＳＳＡＰへの登録時に提供されるｅメールアドレスへのｅメールを介してパスワードをリセットするように促される。ユーザが再試行する場合、第６の画面画像１１６０には第２の画面画像１１２０と同様にポップアップキーボードなどが提示される。
【０１０２】
図１２は、本発明の一の実施形態に係るＭＣＳＳＡＰにおける第１のフロー１２００および第２のフロー１２５０を備えるログインプロセスフローを示し、第１のフロー１２００では、第１のサブフロー１２００Ａおよび第２のサブフロー１２５０はパスワードをリセットし、ユーザ名／ｅメールとパスワードを入力するプロセスを表す。上述したように、いったんユーザはユーザ名／ｅメールプロセスを入力すると、次に進んでパスワードを入力するが、返答プロセスは提供されない。任意で、返答プロセスを提供してもよい。ユーザ名／ｅメールおよびパスワードの入力が完了すると、フロー１２５０の第３のサブフロー１２５０Ａが情報をチェックし、ＭＣＳＳＡＰへのアクセスを提供する、あるいは、図１１の第４の画面画像１１４０に示すようなエラー画面を表示する。いったんログインすると、プロセスは第２のフロー１２５０の第４のサブフロー１２５０Ｂに進み、ユーザがログインボーナスを受け取るか否かを判定する。ユーザがボーナスを受け取らない場合、プロセスは直接ホーム画面に進み、受け取る場合には、ユーザがマイクロアクションから生じる追加の報酬ポイントを受け取るべきであるか否か、および／または実行されるＭＣＳＳＡＰ内の他のユーザによる他のアクションがユーザに与えられるべきか否かを判定する前に、ユーザにデイリーボーナスログインカードが提示される。肯定の判定の結果、「気に入られました」カードがユーザに対して表示され、ポイントが上昇し、そうでなければプロセスは直接ホーム画面に進む。
【０１０３】
したがって、図１３の第１の画面画像１３１０〜第３の画面画像１３３０では、デイリーログインボーナスカードとポイント引き換えの例がユーザに提示される。図１〜図３３を参照して記載する本発明の実施形態では、「クラウン」が言及される。クラウンは与えられるポイントに関して提供される視覚的指標であり、ポイントと等価であると解釈すべきである。図１３は、第１の画面画像１３１０〜第３の画面画像１３３０を示す。
−第１の画面画像１３１０は、連続してログインする日数が増えるにつれデイリー報酬ボーナスが増えることを表すデイリーログインボーナスオーバーレイであり、「報酬を請求してください」ボタンと共に現在のボーナスを示している。
−第２の画面画像１３２０は、「報酬を請求してください」ボタンの選択時に提示される。
−第３の画面画像１３３０は、ＭＣＳＳＡＰが第２の画面画像１３２０から次の画面に移行するときに提示される。
【０１０４】
図示するように、ログインボーナスは、ユーザの連続ログインに基づきクラウンを与える。
−１日目＝１０クラウン
−２日目＝２０クラウン
−３日目＝３０クラウン
−４日目＝４０クラウン
−５日目＝５０クラウン
−６日目＝６０クラウン
−７日目＝７０クラウン＋１日目に連続ログインをリセットする
【０１０５】
７日後、あるいはユーザが１日飛ばしたとき、連続ログインは１日目にリセットされる。しかし、自明なことに、他の報酬をユーザに提示および／または授与することができる、あるいはクラウン数が日数と共に非固定的に増加する。任意で、提示される日数は現在値に基づいてもよい。したがって、ユーザが例えば１０日間ログインした場合、７〜１４日を提示することができる。いったんユーザが「報酬を請求してください！」ボタンをタップすると、画面が消失して、図１３の第２の画面画像１３２０でポイントバーが可視となり、ユーザのポイントが増加する。数秒後、ポイントバーが、図１３の第３の画面画像１３３０に示すように移行によって隠され、カードが現れて消える。第１の画面画像１３１０が表示されると、ヘッダのボタンが使用不能となり、ユーザは継続するために「報酬を請求してください！」ボタンをタップしなければならない。もしくは、ユーザが「報酬を請求してください！」ボタンをタップしない場合、画面が所定期間経過後に消失して、ユーザのポイントは増加しない。
【０１０６】
図１２の第４のサブフロー１２５０Ｂで、ユーザがマイクロアクションから発生する追加報酬ポイントを受け取るべきである、および／または実行されるＭＣＳＳＡＰ内の他のユーザによる他のアクションが与えられるべきであると判定する場合、表示される画面は、「報酬を請求してください！」ボタンを伴う図１３の第４の画面画像１３４０である。デイリーボーナスポイントと同様に、いったんユーザが「報酬を請求してください！」ボタンをタップすれば、ボタンは消えて、「気に入られました」ポイントバーが図１３の第５の画面画像１３５０で可視となり、ユーザのポイントが上昇する。数秒後、ポイントバーが、図１３の第６の画面画像１３６０に示すように移行によって隠され、カードが現れて消える。この報酬オーバーレイシーケンスからの情報は、ＭＣＳＳＡＰのアクティビティセクション内のユーザへの通知として繰り返すことができる。
【０１０７】
図示するように、第４の画面画像１３４０では、ユーザに「お気に入り」および／またはクラウンが与えられる。「お気に入り」はクラウンおよび／またはポイントと同様に考えることができるが、例えばクラウンをトリガするアクションとは別の他のユーザによるアクションに基づいても与えられる。本発明の一の実施形態によれば、
−他人がユーザによって作成されたマイクロアクションを気に入ったとき、ユーザはお気に入りを入手する、
−他人がユーザによって完了されたマイクロアクション［ユーザからの投稿］を気に入ったとき、ユーザはお気に入りを入手する、
−他のユーザがマイクロアクションを完了した場合、マイクロアクションを完了したユーザはクラウンを入手する、および／または、
−他人がマイクロアクションを完了した場合、マイクロアクションを宣伝したユーザはクラウンを入手する。
【０１０８】
例えば、Ｊａｎｅｔが、Ｇｉｏｖａｎｎａが完了した９つのマイクロアクションを気に入った。Ｂｏｂが、Ｇｉｏｖａｎｎａが完了した１つのマイクロアクションを気に入った。Ｇｉｏｖａｎｎａが明日ログインすると、Ｇｉｏｖａｎｎａは請求する１０「お気に入り」を有する。
【０１０９】
別の例では、Ｍｉｋｅが、Ｇｉｏｖａｎｎａが作成した１つのマイクロアクションを見て、［５クラウンを使用して］宣伝した。他のユーザがＧｉｏｖａｎｎａの宣伝したマイクロアクションを見て、それを完了した。Ｍｉｋｅが明日ログインすると、請求する１０クラウン［投資額の２倍］を有しており、Ｇｉｏｖａｎｎａは次にログインするときに５クラウンを入手する。
【０１１０】
マイクロアクションの発起者、宣伝者、実行者に授与される報酬／ポイント（例えば、クラウン／お気に入り）などは、上記の例から変更できることは明らかであろう。本発明の他の実施形態では、それらは固定レベルに設定することができる、あるいはマイクロアクションの発起者、宣伝者、実行者の１以上のうち１以上の側面に応じて変更することができる。例えば、マイクロアクションは期限を設定することができ、報酬は期限内にのみ与えられる。任意で、報酬は、マイクロアクションが設定された時点から時間の経過と共に減少させる、例えば、マイクロアクションの実行者によって提供されるコンテンツの低減に伴い減少させることができる。任意で、例えば、マイクロアクションが発起者および／または宣伝者からさらに完成される場合、あるいはマイクロアクションの複雑さに基づいて、報酬を増加させることができる。本発明の実施形態は、本発明の他の実施形態のＭＣＳＳＡＰによって決定されるレベルとフォーマットの報酬に関して説明したが、報酬は発起者が設定して悪用を防止することができる。したがって、ユーザは緊急マイクロアクションの完了を促すことができる。実施形態内では、単独のユーザが、発起者、宣伝者、実行者の組み合わせになることは防止されない。
【０１１１】
図１４は、本発明の一の実施形態に係るＭＣＳＳＡＰにおける図１５に示されるホーム画面プロセスフローに関連する第１の画面画像１４１０〜第３の画面画像１４３０を示す。図示するように、第１の画面画像１４１０では、ホーム画面はアクティビティ［通知］ボタン、検索ボタン、マイクロアクション作成ボタン、マイクロアクションカードを備える。任意で、第１のマイクロアクションカードは、図１３に示す「気に入られました！」画面の下に表示することができる。したがって、
−ユーザがアクティビティボタンを選択すると、アクティビティ画面が呼び出される。アセットは、ユーザが通知を受け取るときにアクティビティボタンの近くに表示される（このアセットは、ユーザがホーム画面に戻る、あるいは新たなマイクロアクションを要求するときにユーザに表示することもできる）。
−検索ボタンを選択すると、ユーザは検索を行って、ユーザが入力する１以上の検索用語に合致するマイクロアクションを検索することができる。
−マイクロアクション作成ボタンは、ユーザをマイクロアクション作成画面に案内する。
【０１１２】
ＭＣＳＳＡＰは１度に１つのマイクロアクションカードを表示し、本発明の実施形態によると、生成された最新マイクロアクション、未完了の最も古いマイクロアクション、またはすべての利用可能なマイクロアクションのプールからランダムに選択されるマイクロアクションであってもよい。マイクロアクションカードはユーザが下方へスワイプする場合に破棄することができ、その結果、別のマイクロアクションカード（適用可能な場合）がユーザに提示される。本発明の一の実施形態では、あらゆる新たなユーザに１以上のマイクロアクションが与えられて、ユーザとＭＣＳＳＡＰを対応付け、マイクロアクションの実行を通じてユーザに実質上のチュートリアルを提供することができる。例えば、すべての新たなユーザが見る第１のマイクロアクションカードは、管理アカウント／ユーザによって生成される「セルフィを撮ってください」である。マイクロアクションを完了するため、ユーザは自分の写真（「セルフィ」）を撮影する。本発明の実施形態では、デフォルトで提示されるマイクロアクションカードの数を変更することができる、１セットのデフォルトマイクロアクションからランダムに選択することができる、あるいは、ＳＯＣＮＥＴの一部である他のユーザから発せされるマイクロアクションとすることができる。いったんチュートリアルマイクロアクションが完了および／または破棄されると、本発明の一の実施形態に係る「本日のマイクロアクション」カードが、ユーザの最初のデイリーログイン時に表示されるようにユーザに対して表示することができる。これは、ＭＣＳＳＡＰプロバイダおよび／またはＭＣＳＳＡＰによって選択されるマイクロアクションである。任意で、マイクロアクションは任意のユーザが作成することができる。あるいは、任意のユーザまたはユーザ群は、ジオロケーション、近接性、ユーザの完了するマイクロアクション、ＳＯＣＮＥＴアソシエーション、ユーザの状態、時間／日情報などを含むが、それらに限定されないユーザの側面に基づきフィルタリングすることができる。ユーザが「本日のマイクロアクション」を破棄または完了すれば、ユーザの最初のデイリーログイン中にも表示することができる「注目マイクロアクション」をユーザに提示してよい。
【０１１３】
図１５は、ホーム画面から、「アクティビティ」すなわちマイクロアクションの選択、マイクロアクションの検索、マイクロアクションの作成、今までおよび日々の初回ユーザログイン時のマイクロアクションの表示に関連する第１〜第４のサブフローを提示する、本発明の一の実施形態に係るＭＣＳＳＡＰにおけるホーム画面プロセスフローを示す。図示するように、第２の画面画像１４２０では、マイクロアクションカードを備えるホーム画面がユーザに対して提示される。作成および投稿されたすべてのマイクロアクションは、マイクロアクションに対応付けられるマルチメディアコンテンツ、例えば、画像、写真、映像を有する。ユーザはマイクロアクションをタップして、第３の画面画像１４３０に示すように、情報オーバーレイを隠し、マルチメディアコンテンツを見ることができる。「お気に入り」ボタンは常に表示される。情報オーバーレイの主要区域は「お気に入り」ボタン、作成者の画像、「次へ矢印」、「シェア」ボタン、「実行してください！」ボタンなどの他の機能にマッピングされる。
【０１１４】
図１６は、本発明の一の実施形態に係るＭＣＳＳＡＰにおける、ユーザのプロフィールに関連する第１の画面画像１６１０および第２の画面画像１６２０とアクティビティ画面（第３の画面画像１６３０）を示す。他のユーザのプロフィールマルチメディアコンテンツまたはユーザ名をタップすると、ＭＣＳＳＡＰは、適用可能な場合（第１の画面画像１６１０）、ユーザのＳＯＣＮＥＴアカウントへのリンクを表示するデフォルトメニューを呼び出す。ＳＯＣＮＥＴアカウントがリンクされていない場合、メニューがデフォルトテキストを読み出す（第２の画面画像１６２０）。
【０１１５】
第３の画面画像１６３０は、ヘッダバー、ポイントバー、垂直リスト（他のフォーマットも採用することができる）として提示されるアクティビティストリームなどを含むが、それらに限定されないセクションを表示するユーザアクティビティ画面に関する。アクティビティリスト内の各アクティビティは、マイクロアクションと対応付けられるマイクロアクションまたはアクティビティを作成するユーザの画像、マイクロアクションと対応付けられるマイクロアクションまたはアクティビティが作成された時期を示す時間指標、マイクロアクションと対応付けられるマイクロアクションまたはアクティビティを説明するテキストフィールド、マイクロアクションと対応付けられるマルチメディアコンテンツのサムネイルによって提示される。ヘッダは、アクティビティボタン、検索ボタン、「マイクロアクション作成」画面にリダイレクトする作成ボタンなど、ＭＣＳＳＡＰ画面全体にわたる共通エレメントを含む。
【０１１６】
本日のマイクロアクションは、ＭＣＳＳＡＰプロバイダによって作成されてもよいし、上述するように自動的に選択されてもよく、ユーザがＭＣＳＳＡＰアプリケーションに入ると、第１のマイクロアクションとして表示される。ユーザが新たなユーザである場合、「本日のマイクロアクション」がチュートリアルマイクロアクションの後に表示される。「本日のマイクロアクション」はユーザの本日の最初のログイン中にも表示され、いったんユーザが見た後は優先順位が先送りされる。つまり、ユーザがログインし、デイリーログインボーナスカードを見て、アクティビティボタンをタップし、ＭＣＳＳＡＰアプリケーションを離れる場合、「本日のマイクロアクション」は先送りするのに必要なファーストビューを満たしていない。いったん先送りされると、「本日のマイクロアクション」はマイクロアクションのランダムなプールに戻る。
【０１１７】
「本日のマイクロアクション」はＭＣＳＳＡＰプロバイダによって選択されてもよい、および／または作成されてもよい、およびユーザによって作成されてもよい。ＭＣＳＳＡＰプロバイダは、いつ誰によって作成されたかに関係なく、マイクロアクションを「本日のマイクロアクション」としてマークするように決定することができる。任意で、マイクロアクションは、ＭＣＳＳＡＰプロバイダによって設定される検索用語に応じて、あるいはイベント、休日、祝典、ニュースアイテムなどに基づいて選択することができる。任意で、「本日のマイクロアクション」は様々な地域、管轄区、市町村、コミュニティ、ユーザ群、ＳＯＣＮＥＴメンバーなどに合わせて決定してもよい。例えば、ユーザのＪａｃｋが、２月にマイクロアクション「公園に行く＃自然＃晴れの日」を作成した。１週間の冷たい雨の日が続いた後、再び晴れの日が来て、ＭＣＳＳＡＰ  ＰＲＯＶＩＤＥＲが検索用語「晴れ」を入力すると、マイクロアクションのデータベース／プールが検索され、Ｊａｃｋのマイクロアクションが「本日のマイクロアクション」とマークされる。任意で、マイクロアクションは期限を設定することができ、例えば、ワシントンＤ．Ｃ．の所定範囲内にジオロケーションデータを有するユーザに対して提示され、ゴミ集めの写真を撮るユーザに報酬を与えるマイクロアクションである「５月２４日に首都を掃除」は、それ以後のメリットはほとんどない。期限はマイクロアクションを作成するユーザが設定してもよいし、ＭＣＳＳＡＰプロバイダおよび／または管理人が適用してもよい。
【０１１８】
同様に、注目マイクロアクションは、ＭＣＳＳＡＰプロバイダによって選択および／または作成することができ、ユーザがＭＣＳＳＡＰアプリケーションにアクセスするときにユーザに対して表示することができる。ユーザが新たなユーザである場合、注目マイクロアクションは、チュートリアルマイクロアクションと「本日のマイクロアクション」の後に表示される。注目マイクロアクションはユーザのその日の最初のログイン中にも表示され、いったんユーザが見た後は、優先順位が先送りされる。つまり、ユーザがログインし、デイリーログインボーナスカードと「本日のマイクロアクション」カードを見て、ＭＣＳＳＡＰアプリケーションを離れる場合、注目マイクロアクションはこのユーザ用に先送りされず、ユーザがその日の後で再びログインするときに第１のマイクロアクションとして表示される。ユーザが翌日戻る場合、注目マイクロアクションは「本日のマイクロアクション」の直後に表示される。
【０１１９】
図１７は、本発明の一の実施形態に係るＭＣＳＳＡＰにおけるアクティビティ通知に関連する画面画像を示す。第１の画像１７１０〜第３の画像１７３０は通知ありのホーム画面、アクティビティ画面、通知なしのホーム画面をそれぞれ示し、ユーザが通知を受け取ると、ドット、アセットがアクティビティボタンの隣に現れる。第１の画面画像１７１０を参照されたい。ユーザがアクティビティ画面を見ていない間は通知アセットがヘッダ内に表示される。いったんユーザがアクティビティ画面を見ると、第３の画面画像１７３０を参照のごとく、通知ドットなしのアクティビティボタンを表示するホーム画面に戻る。第２の画面画像１７１０であるアクティビティ画面では、ポイントバーがヘッダの下方かつアクティビティストリームの上方に表示される。例えば、ユーザの現在レベルおよび進捗状況を示す視覚的キューに関連するレベルシールドと、アセットとしての「クラウン」およびその総数の表示と、アセットとしての「お気に入り」およびその総数の表示と、設定画面へのリンクを表し、言語の選択に関連する第４の画面画像１７４０および第５の画面画像１７５０として示されるギアアイコンと、を含むがそれらに限定されない。設定ボタンのギアをタップすると、ユーザに設定、例えば、言語やログアウトを変更させるフォルトサブメニューが呼び出される。言語は、すべての利用可能な言語をリストアップしたデフォルトオペレーティングシステムメニューを呼び出す。
【０１２０】
アクティビティストリーム内には、最も新しいものから古いものまでユーザのアクティビティおよび通知が示される。表１は、通知のコンテンツと共に追跡される事象の種類である。
【表１】
0006788505.tif 000002
【０１２１】
図１８は、本発明の一の実施形態に係るＭＣＳＳＡＰのマイクロアクションカードに関連する第１の画面画像１８１０を示す。各マイクロアクションカードは以下の要素を含む。
−マイクロアクション［テキスト］、最大１４０文字
−作成者のプロフィールマルチメディアコンテンツ
−作成者のユーザ名
−作成からの時間（例えば、１時間、５日、２月、５年）
−お気に入りボタン
−お気に入りの量
−マイクロアクションマルチメディアコンテンツ
−「次へ」矢印
−「シェア」ボタン
−「実行してください！」ボタン
−「このマイクロアクションをシェアしてください！」ボタンまたは「＠ユーザ名によって宣伝されました」ボタン
−「実行しました！」カルーセルを示す画面下部のカードのスタック
【０１２２】
プロフィールマルチメディアコンテンツは通常、例えば、ユーザが最初に接続したときは常にユーザのＳＯＣＮＥＴから抽出される。ユーザがソーシャルアカウントに接続していない場合、表示されるプロフィールマルチメディアコンテンツは、ＭＣＳＳＡＰ  ＰＲＯＶＩＤＥＲから提供されるデフォルト画像、あるいはユーザによってアプリケーションに直接アップロードされるマルチメディアコンテンツとすることができる。作成者のマルチメディアコンテンツをタップすると、利用可能であれば、ソーシャルアカウントへのリンクを備えるサブメニューを呼び出す。したがって、ログイン中、ＭＣＳＳＡＰアプリケーションはユーザのマルチメディアコンテンツを更新することによって、接続されたソーシャルアカウントで使用される最新画像を表示する。
【０１２３】
お気に入りボタンは以下の３つの状態を有する。
−「使用不能」−ユーザが自身のマイクロアクションを見ており、お気に入りボタンが使用不能とされている。
−「デフォルト」−ユーザがまだマイクロアクションを気に入っていない。
−「お気に入り」−ユーザがマイクロアクションを気に入り、ボタンが使用不能とされて最終状態が表示される。このアセットは使用不能状態に関して使用されるアセットと異なる。
【０１２４】
マイクロアクションマルチメディアコンテンツ−テキストオーバーレイの下に表示される。ユーザは、マルチメディアコンテンツビューとテキストビュー間のマイクロアクションカードの切替のどの場所でも、すなわち、別のボタン上のどの場所でもタップすることができる。
【０１２５】
次へ矢印−ユーザがマイクロアクションを報告することができるサブメニューを呼び出す。これは、フラグ／報告機能をもたらす、ＭＣＳＳＡＰアプリケーションの、いわゆる「ホワイトレーベル」バージョンで変更することができる。
【０１２６】
シェアボタン−ユーザがＳＯＣＮＥＴ、例えば、ＦａｃｅｂｏｏｋＴＭまたはＴｗｉｔｔｅｒＴＭ上でシェアすることのできるサブメニューを呼び出す。マイクロアクション作成者がマイクロアクション作成中にリンクを入力した場合、そのリンクがＳＯＣＮＥＴ上でシェアされる。適用可能な場合、マイクロアクションのマルチメディアコンテンツもシェアされる。
【０１２７】
「実行してください！」ボタン−後述するような完了マイクロアクションシーケンスを呼び出す。
【０１２８】
「このマイクロアクションを宣伝してください！」ボタン−ユーザがマイクロアクションを宣伝することができる宣伝画面を呼び出す。宣伝にはクラウン、例えば、５クラウンかかる。任意で、ユーザは、マイクロアクションと対応付けられるクラウン数を与えられるとき、マイクロアクションを完了するように他人に促すマイクロアクションに対して、より多くのクラウンを渡すことができる。
【０１２９】
「＠ユーザ名によって宣伝されました」ボタン−宣伝者の＠ユーザ名と、利用可能であればプロフィールマルチメディアコンテンツとが表示される。宣伝者のユーザ名またはマルチメディアコンテンツをタップすると、利用可能であれば、ソーシャルアカウントへのリンクを有するサブメニューが呼び出される。宣伝者がプロフィールマルチメディアコンテンツを有していない場合、ＭＣＳＳＡＰプロバイダが提供する、あるいは宣伝者がアップロードするデフォルト画像が表示される。
【０１３０】
カードのスタック−投稿の総量、例えば「Ｘ人が実行しました！」を表示する。ユーザは、スタックをタップする、あるいは、完了したマイクロアクションカルーセルが見えるまでスワイプすることができる。誰もマイクロアクションを完了していない場合、「このマイクロアクションを完了する最初の人になってください！」というテキストが表示されて、図１８の第２の画面画像１８２０に示すように、マイクロアクションを完了する最初の人になるようにユーザを誘導する。
【０１３１】
図１９Ａおよび図１９Ｂは、第１のフロー１９００の第１のサブフロー１９００Ａ〜第５のサブフロー１９００Ｅと、第２のフロー１９５０の第６のサブフロー１９５０Ａ〜第９のサブフロー１９５０Ｄとを備える本発明の一の実施形態に係るＭＣＳＳＡＰのマイクロアクションカードプロセスフローを示す。これらは以下を提供する。
−第１のサブフロー１９００Ａは、ユーザに提示される最初のカードのシーケンスを制御する。
−第２のサブフロー１９００Ｂは、ユーザが「実行してください！」ボタンを選択すると、実行マイクロアクションサブフローをトリガする。
−第３のサブフロー１９００Ｃは、ＳＯＣＮＥＴへのマイクロアクションのシェアを制御する。
−第４のサブフロー１９００Ｄは、ユーザがマイクロアクションを気に入る機能を制御する。
−第５のサブフロー１９００Ｅは、マイクロアクション表示オーバーレイとマルチメディアコンテンツの切替を制御する。
−第６のサブフロー１９５０Ａは、作成者マルチメディアコンテンツの取得を制御する。
−第７のサブフロー１９５０Ｂは、矢印タップ機能を制御する。
−第８のサブフロー１９５０Ｃは、マイクロアクションの宣伝を制御する。
−第９のサブフロー１９５０Ｄは、完了したマイクロアクションのユーザへの表示を制御する。
【０１３２】
図２０および図２１は、本発明の一の実施形態に係るＭＣＳＳＡＰのマイクロアクションカードおよびマイクロアクションに関連する第１の画面画像２０１０〜第５の画面画像２０５０と第６の画面画像２１１０〜第８の画面画像２１３０とを示す。これらは以下のとおりである。
−第１の画面画像２０１０は、ユーザがマイクロアクションを見るビューを示す。
−第２の画面画像２０２０は、初めてマイクロアクションを気に入るユーザを示す。
−第３の画面画像２０３０は、お気に入りのマイクロアクションを示す。
−第４の画面画像２０４０は、ユーザが「次へ」矢印をタップした後の画面を示す。
−第５の画面画像２０５０は、最初にカードを下方にスワイプするユーザに提示される確認画面を示す。
−第６の画面画像２１１０は、「セルフィ」を撮ることであるチュートリアルマイクロアクションを見るユーザを示す。
−第７の画面画像２１２０は、完了したマイクロアクションを左右にスワイプするユーザを示す。
−第８の画面画像２１３０は、他のユーザの完了したマイクロアクション、この場合はチュートリアル「セルフィ」マイクロアクションを見ることを選択したユーザのためのビューを示す。
【０１３３】
第６の画面画像２１１０〜第８の画面画像２１３０は、完了したマイクロアクションカードのスタックに対するユーザのアクションを示す。ユーザが完了したマイクロアクションカードのスタックをタップする、あるいは情報にスワイプすると、ＭＣＳＳＡＰは最も高いお気に入りポイントによってオーダーされる１０個の完了したマイクロアクションカードの組をロードする。完了したマイクロアクションのいずれにもお気に入りポイントが与えられない場合、ＭＣＳＳＡＰはＩＤ、例えば、データベース入力に応じてそれらを表示する。第１のマイクロアクションは最も「気に入られた」マイクロアクションとなる。完了したマイクロアクションカードは、マイクロアクションカードの上方で、マイクロアクションテキストだけを表示する程度の低い位置に表示される。スタックには、利用可能な場合、最初の１０のカードの組が格納される。ユーザがスワイプして９番目のカードを見ると、利用可能な場合、ＭＣＳＳＡＰは次の１０個のカードのバッチをロードするため、ユーザは常に適宜次のカードの縁部を見る。標準のマイクロアクションカードの機能はスタック内の個々のカードに適用される。任意で、スタック内のカード数は異なる所定値、例えば、５、２０、２１などに変更することができる。あるいは、その数は、ユーザおよび／またはＭＣＳＳＡＰにアクセスしている装置の特徴に応じて設定することができる。例えば、過去にログインして大量の完了したマイクロアクションカードを見たユーザはバッチサイズを上方に調節することができ、完了したマイクロアクションカードのスタックをほとんど見ていない別のユーザは小さなバッチサイズを有することができる。任意で、バッチのサイズは、ユーザのコンテキスト、ジオロケーション、ネットワーク接続性などに応じて変更することができる。
【０１３４】
図２２Ａおよび図２２Ｂは、第１のフロー２２００の第１のサブフロー２２００Ａ〜第４のサブフロー２２００Ｄと、第２のフロー２２５０の第５のサブフロー２２５０Ａ〜第８のサブフロー２２５０Ｄとを備える本発明の一の実施形態に係るＭＣＳＳＡＰのマイクロアクションカルーセルプロセスフローを示す。これらは以下を提供する。
−第１のサブフロー２２００Ａは、ユーザに提示される最初のカードのバッチのローディングを制御する。
−第２のサブフロー２２００Ｂは、１以上のＳＯＣＮＥＴへの完了したマイクロアクションのシェアを制御する。
−第３のサブフロー２２００Ｃは、完了したマイクロアクションを気に入るユーザ機能を制御する。
−第４のサブフロー２２００Ｄは、マイクロアクション表示オーバーレイと完了したマイクロアクションに関するマルチメディアコンテンツとの切替を制御する。
−第５のサブフロー２２５０Ａは、完了したマイクロアクションカードに関する矢印タップ機能を制御する。
−第６のサブフロー２２５０Ｂは、完了したマイクロアクションカードに関するスワイプダウン機能を制御する。
−第７のサブフロー２２５０Ｃは、完了したマイクロアクションカードに関するスワイプレフト機能を制御する。
−第８のサブフロー２２５０Ｄは、完了したマイクロアクションカードに関するスワイプライト機能を制御する。
【０１３５】
図２３Ａおよび図２３Ｂは、発明の一の実施形態に係るＭＣＳＳＰのマイクロアクションの実行に関係する画面画像を示す。マイクロアクションを完了させるため、ユーザは通常、カメラの使用、画像のクロッピング、コメントの書込のシーケンスを実行する。カメラを用いて、ユーザは１つまたは複数のマルチメディアコンテンツを撮影して、装置のギャラリーから１つまたは複数の画像を選択し、選択した画像を完了済みのマイクロアクションと対応付けることができる。ユーザは、クロッピングで画像の水平および垂直位置を変更することによって、選択／取得した画像をマイクロアクションカードフレームに位置合わせすることができる。任意で、本発明の他の実施形態では、リサイジングと回転を適用することができる。ＭＣＳＳＡＰアプリケーションによってマスクを予め定義することができる。最後に、コメントを書き込む際、ユーザは最大１４０文字までタイプして、リンクを追加することができる。文字容量は、ユーザがタイプする際に時計回りにオレンジ色で満たされ、円グラフのように機能する濃い灰色の円で表される。ハッシュタグ＃で始まる単語はすべてハイライトされ、検索用のタグとして記憶される。したがって、ユーザはマイクロアクションに対応付けられるハッシュタグを検索して、人やアクションに従うことができ、同じ組み合わせのハッシュタグを有する今後のマイクロアクションは自動的にユーザと対応付けられ、ユーザに対して表示される。
【０１３６】
図２１の第４の画面画像２１４０と第１の画面画像２３１０〜第５の画面画像２３５０をそれぞれ図２３Ａおよび図２３Ｂに示す。
−第４の画面画像２１４０は、ユーザが装置のカメラにアクセスする際に提示される画面を示す。
−第１の画面画像２３１０は、取り込まれた画像に適用されるクロッピングプロセスの開始を示す。
−第２の画面画像２３２０は、水平および垂直に移動させることのできるフレームマルチメディアコンテンツを示す。
−第３の画面画像２３３０は、コメントを書き込むユーザを示す。
−第４の画面画像２３４０は、クロッピングの一例を示す。
−第５の画面画像２３５０は、選択のリフレ−ミングの一例を示す。
【０１３７】
図２４Ａおよび図２４Ｂは、第１のフロー２４００の第１のサブフロー２４００Ａ〜第５のサブフロー２４００Ｅと、第２のフロー２４５０の第６のサブフロー２４５０Ａおよび第７のサブフロー２４５０Ｂとを備える本発明の一の実施形態に係るＭＣＳＳＡＰにおけるマイクロアクションカルーセルプロセスフローを示す。これらは以下を提供する。
−第１のサブフロー２４００Ａは、ジオロケーションデータの取得を制御する。
−第２のサブフロー２４００Ｂは、画像を取得する装置に関するカメラの選択を制御する。
−第３のサブフロー２４００Ｃは、ユーザ自身のカメラではなく、Ｇｏｏｇｌｅ画像やマルチメディアコンテンツライブラリなどからの画像取得を制御する。
−第４のサブフロー２４００Ｄは、選択されたカメラを使用する画像の取込みを制御する。
−第５のサブフロー２４００Ｅは画像のクロッピングを制御する。
−第６のサブフロー２４５０Ａは、完了したマイクロアクションに関するコメントの書込を制御する。
−第７のサブフロー２４５０Ｂは、完了済みのマイクロアクションへのリンクの追加を制御する。
【０１３８】
任意で、装置が単独のカメラしか有していない、あるいはカメラを有していない場合、ＭＣＳＳＡＰは使用できない特徴／機能へのアクセスを不能にすることができる。任意で、クロッピング中のマルチメディアコンテンツ水平／垂直運動に追加して、拡大縮小および／または回転をマルチメディアコンテンツに適用してもよい。
【０１３９】
図２５は、本発明の一の実施形態に係るＭＣＳＳＡＰのジオロケーションマイクロアクションに関連する画面画像を示す。ジオロケーションベースのマイクロアクションに関しては、ユーザがＭＣＳＳＡＰによって自身の位置が取得されることを許可しない場合、ジオロケーションマイクロアクションを見ることができるようになる。ジオロケーションマイクロアクションの場合、ユーザには図２５の第１の画面画像２５１０などの画面が提示され、その後、以下のステップを備えるシーケンスを完了しなければならない。
−「ここにいます」ボタンを叩く。
−マルチメディアコンテンツを取得する。
−マルチメディアコンテンツをクロッピングする。
−クロッピングされたマルチメディアコンテンツを受信する。
−任意でユーザに対してコメントを書き込む。
【０１４０】
ジオロケーションステップが失敗した場合、あるいはユーザがマイクロアクションにとって所定位置範囲にいない場合、システムは「進み続ける」プロンプトを表示して、ユーザはマイクロアクションカードに戻される。
【０１４１】
図２５の第２の画面画像２５２０と図２６の第１の画面画像２６１０〜第５の画面画像２６５０は、本発明の一の実施形態に係るＭＣＳＳＡＰにおけるマイクロアクションの作成に関する。マイクロアクションの作成に関して、ユーザは以下を含むステップを実行する。
−「作成」アイコンを叩く。
−カメラ
−マルチメディアコンテンツをクロッピングする。
−クロッピングされたマルチメディアコンテンツを受け入れる。
−マイクロアクションを書き込む。
−リンクを追加する。
【０１４２】
したがって、カメラを用いて、ユーザはマルチメディアコンテンツを撮る、あるいは装置のギャラリーまたはオンラインリソースから画像を取得することができる。マルチメディアコンテンツをクロッピングする際、ユーザはマルチメディアコンテンツを水平および垂直に移動させることによって、マルチメディアコンテンツとマイクロアクションカードを位置合わせすることができる。任意で、クロッピング中のマルチメディアコンテンツの水平／垂直運動に追加して、拡大縮小および／または回転をマルチメディアコンテンツに適用してもよい。いったんクロッピングされたマルチメディアコンテンツを受け入れると、ユーザは最大１４０字でマイクロアクションを書き込み、リンクを追加する。ＭＣＳＳＡＰは、マイクロアクションテキストのいずれかがハッシュタグを含むか否かを判定するためにチェックする。ハッシュタグが存在しない場合、プロンプトはフィリタリング／検索用の少なくとも１つのハッシュタグをタイプしなければならない理由を説明し、マイクロアクションを編集するようにユーザに戻す。ユーザは、１度に１つだけのマイクロアクションを作成することができる。任意で、ＭＣＳＳＡＰは、ユーザが次の公開用に先立ってマイクロアクションを作成できるように、マイクロアクションの作成とスケジューリング／保存を可能にする。
【０１４３】
図２５の第２の画面画像２５２０および図２６の第１の画面画像２６１０〜第５の画面画像２６５０は以下を示す。
−第２の画面画像２５２０は、ユーザ用のマイクロアクション作成を示す。
−第１の画面画像２６１０は、キャプチャした画像に適用されるクロッピングプロセスの開始を示す。
−第２の画面画像２６２０は、水平および垂直に移動させることができるフレーム付きマルチメディアコンテンツを示す。
−第３の画面画像２６３０は、ユーザ書込マイクロアクションを示す。
−第４の画像２６４０は、マイクロアクション内のマルチメディアコンテンツのソース選択例を示す。
−第５の画面画像２６５０は、ユーザに提示されるハッシュタグ警告画面の一例を示す。
【０１４４】
図２７は、フロー２７００の第１のサブフロー２７００Ａ〜第４のサブフロー２７００Ｄを備える本発明の一の実施形態に係るＭＣＳＳＡＰにおけるマイクロアクション生成プロセスフローを示す。図示するように、第１のサブフロー２７００Ａは、図２４における第１のフロー２４００の第２のサブフロー２４００Ｂ〜第５のサブフロー２４００Ｅを備える。残りのサブフローは以下を備える。
−第２のサブフロー２７００Ｂは、マイクロアクションを作成するテキスト入力段階を制御する。
−第３のサブフロー２７００Ｃは、メッセージサイズ、ハッシュタグコンテンツなどの認証を制御する。
−第４のサブフロー２７００Ｄは、作成されたマイクロアクションへのリンクの追加を制御する。
【０１４５】
図２８Ａおよび２８Ｂは、発明の一の実施形態に係るＭＣＳＳＡＰにおけるマイクロアクションと対応付けられる報酬に関連する第１の画面画像２８１０〜第６の画面画像２８６０を示す。これらは以下を示す。
−第１の画面画像２８１０は、マイクロアクションの完了を示す。
−第２の画面画像２８２０は、報酬の第１の段階を示す。
−第３の画面画像２８３０は、報酬の第２の段階を示す。
−第４の画面画像２８４０は、フルクラウン報酬オーバーレイを示す。
−第５の画面画像２８５０は、ユーザがタップした後の報酬オーバーレイを示す。
−第６の画面画像２８６０は、報酬アセットが消滅する際の移行を示す。
【０１４６】
当業者にとっては自明であるように、ＭＣＳＳＡＰは報酬を提供する代わりに、第三者プロバイダ、企業、スポンサー、広告主など、マイクロアクション完了に対する報酬と対応付けられる複数のその他の報酬プロバイダ用の外部アプリケーションインタフェースを提供することができる。ユーザがマイクロアクションを完了し、投稿がＭＣＳＳＡＰサーバにアップロードされ認証されると、ＭＣＳＳＡＰは最初のマイクロアクション画面に戻り、ユーザの完了済みマイクロアクションを示す。外部報酬がトリガされている場合、適切なオーバーレイが、完了したマイクロアクションカードの拡張スタック上に現れる。ユーザは報酬を引き換えるかスキップすることができ、シーケンスが継続する。判定は追跡され、例えば広告主、企業、第三者フィードバックの一部を形成することができる。オーバーレイが完了したマイクロアクションのスタックの上方かつヘッダの下方に表示される。「マイクロアクションが完了しました！」テキストが表示され、ポイントバーが可視になり、レベルが上昇し、数秒後にクラウンアセットと「請求」ボタンが画面の下部から飛び出す。クラウン数は固定することができる、あるいは上述するように変更することができる。ユーザが「請求します！」ボタンをタップすると、それが消えてポイントバーが可視になり、クラウンの額が増加する。数秒後、ポイントバーは隠れて、アセットは上昇して消える。ユーザが外部報酬を受け取った場合、「カスタム通知に関する詳細についてはＢｌａｈＢｌａｈブログを訪れてください」などの外部報酬オーバーレイが表示される。任意で、報酬シーケンス中、ヘッダボタンは使用不能となる。ユーザは継続するには報酬を請求しなければならない。
【０１４７】
図２９は、ユーザが外部報酬／ギフトを受け取ったか否かに関連する最初の一連のステップ後の第１のサブフロー２９００Ａ〜第４のサブフロー２９００Ｄを備える本発明の一の実施形態に係るＭＣＳＳＡＰにおける報酬プロセスフロー２９００を示す。これらのサブフローは以下を備える。
−第１のサブフロー２９００Ａでは、ユーザは外部報酬／ギフトを受け入れる。
−第２のサブフロー２９００Ｂでは、マイクロアクション画面が表示され、ユーザがレベルアップしているか、あるいは単にマイクロアクションを完了しているかが判定される。
−第３のサブフロー２９００Ｃでは、報酬ポイントが表示されて、ユーザによって請求される。
−第４のサブフロー２９００Ｄでは、マイクロアクションが宣伝されると、クラウンが宣伝者に送信される。
【０１４８】
本発明の実施形態では、ＭＣＳＳＡＰは、例えばレベルを出力する［Ｘｎ−１］＋切上げ［Ｘｎ−２］／２などの変形フィボナッチ数列のようなレベリング式や、表２に示すようなマイクロアクション表に基づき、ユーザをレベルアップすることができる。
【表２】
0006788505.tif 000003
【０１４９】
ポイントに関しては、ユーザがお気に入りとクラウンを取得することができる。ユーザが、マイクロアクションを宣伝する際にクラウンを消費（投資）することができる。ユーザは、気に入ったマイクロアクションをお気に入りから外すことができない。ユーザは、自身のマイクロアクションを気に入ることができない。報酬表の一例を表３に示す。
【表３】
0006788505.tif 000004
【０１５０】
図３０は、本発明の一の実施形態に係るＭＣＳＳＡＰのマイクロアクションの宣伝に関連する第１の画面画像２８１０〜第６の画面画像２８６０を示す。これらは以下を示す。
−第１の画面画像２８１０は、ユーザが十分なクラウンを有していないため、ボタンが使用不能とされる例を示す。
−第２の画面画像２８２０は、最初の宣伝アクティビティ時のユーザへのプロンプトを示す。
−第３の画面画像２８３０は、宣伝されたマイクロアクションを示す。
【０１５１】
マイクロアクションを見ると、ユーザは「このマイクロアクションを宣伝してください！」ボタンをタップして、マイクロアクションに所定数または可変数のクラウンを投資することができる。マイクロアクションを宣伝する代わりに、ユーザは宣伝者としてマイクロアクションにユーザの＠ユーザ名とプロフィールマルチメディアコンテンツが表示される。一の実施形態では、マイクロアクションは、１度に１人のみのユーザによって宣伝することができる。もしくは、複数のユーザが単独のマイクロアクションを宣伝してもよい。「このマイクロアクションを宣伝してください！」ボタンをタップすると、ユーザはそのマイクロアクションに必要な数のクラウンを投資する。いったんマイクロアクションが完了すれば、マイクロアクションを宣伝したユーザは、マイクロアクションを宣伝する対価を受け取る。１人のみのユーザがマイクロアクションを宣伝できる場合、いったん完了すれば、他のユーザがマイクロアクションを入手して宣伝することができる。複数の宣伝者を単独のマイクロアクションと対応付けることができる場合、宣伝者はいつでも、あるいはマイクロアクション作成者の設定する期限まで宣伝することができる。
【０１５２】
ユーザが必要な数のクラウンを有していない場合、「このマイクロアクションを宣伝してください！」ボタンが使用不能とされる。
【０１５３】
マイクロアクションが宣伝されると、「このマイクロアクションを宣伝してください！」ボタンが更新されて異なるボタンアセットを表示し、テキストはユーザの＠ユーザ名とプロフィールマルチメディアコンテンツを含む。この時点から、マイクロアクションの宣伝者、例えば、＠ＥｌｉｊａｈＲｅｎａｒｄは、例えば１０クラウン、つまり、宣伝額が枯渇するまで誰かがそのマイクロアクションを完了する度に投資額×２を得る。一例として、Ｊａｎｅｔは５クラウンでマイクロアクションを宣伝する。これらのクラウンは彼女のバンクから取り出され、サーバがそれらをマイクロアクションに保存する。Ｂｏｂがマイクロアクションを完了すると、Ｊａｎｅｔは１０クラウンを受け取る。いったん預けられたクラウンが取り出されると、マイクロアクションは他の人によって宣伝することができる。マイクロアクションの宣伝は、マイクロアクションのプール内の順序に影響を及ぼさない。ユーザが宣伝したマイクロアクションを完了すると、投資額はバンクに保持されたままで、ユーザは宣伝ボーナスを受け取らない。すなわち、ユーザはマイクロアクションの完了に対して５クラウンを得て、ボーナス１０クラウンは別のユーザがマイクロアクションを完了するまで保存される。
【０１５４】
図３１および図３２は、本発明の一の実施形態に係るＭＣＳＳＡＰにおけるマイクロアクション宣伝に関連するプロセスフロー３１００および３２００を示す。プロセスフロー３１００は、宣伝し、十分なクラウンがユーザによって所有されるか否かを判定するステップと、十分であるときのクラウンの管理とを扱う。プロセスフロー３２００は、マイクロアクションの完了と、与えられるクラウンの管理に関するプロセスを示す。任意で、マイクロアクションを宣伝する際に他のアセットも採用することができる。
【０１５５】
図３３は、本発明の一の実施形態に係るＭＣＳＳＡＰにおけるマイクロアクションの調停に関連する画面画像３３１０を示す。ユーザがＭＣＳＳＡＰの管理人が不適切とみなすマイクロアクションを投稿すると、マイクロアクションカードは調停カードと置き換えることができる。他の例では、ユーザがマイクロアクションカードを見る管理人に異議を申し立て、管理人が調停すべきか否かを決定することができる。調停する場合は、画面画像３３１０がマイクロアクションカードの代わりに提示される。
【０１５６】
ユーザアカウントに追加して、ＭＣＳＳＡＰは、例えば、管理者がユーザ関連の特徴に関して以下のように調節することのできる管理アカウントを含むことができる。
−パスワードをリセットする［生成者を手動でリセットして、ユーザにｅメールを送る］
−ｅメールアドレスをリセットする［ユーザのｅメールアドレスを手動で変更する］
−ユーザ名をリセットする［ユーザ名を手動で変更する］
−アカウントを作動させる−停止する［データベースにおける削除なしにユーザ機能を禁止する］
−ユーザマルチメディアコンテンツを削除する
【０１５７】
また、管理者は、マイクロアクション関連の特徴に関して以下を調節することができる。
−チュートリアルマイクロアクション、本日のマイクロアクション、注目マイクロアクションのうちの１つとして、既存のマイクロアクションを分類する
−マイクロアクションを見る
−座標や半径が提供される場合、マイクロアクションをジオロケーションマイクロアクションに変換する
−不適切なマイクロアクションのレポートを受領する［ｅメール＋前記マイクロアクションを見るためのリンク］
−マイクロアクションを隠す／示す［報告に応答する］
−マルチメディアコンテンツマイクロアクションを作成する
−ジオロケーションマイクロアクションを作成する
−マルチメディアコンテンツマイクロアクションおよびジオロケーションマイクロアクションを保存する［保存するが起動しない］
【０１５８】
不適切なマイクロアクションの報告の場合、調停用のｅメールを受け取ると、管理者は報告者の＠ユーザ名と共に、報告されたマイクロアクションへのリンクを取得する。その情報を用いて、管理者は行動し、報告者に連絡して、行ったアクション／判定について通知することができる。マイクロアクションがフラグを立てられ隠されると、ユーザはそれ以上アクセスすることができず、マイクロアクションカードが調停カードによって置き換えられて、マイクロアクションが消えた理由を説明する。マイクロアクションはまだデータベース内に存在し、与えられた／受け取ったポイントも維持される。
【０１５９】
該当マイクロアクションカードが一般的な調停カードと置き換えられるように、調停カードは隠されたマイクロアクションカードとみなすことができる。この時点で、お気に入りボタンおよびお気に入り［合計］、宣伝／宣伝された「ｘ人が実行しました！」セクションも隠される。
【０１６０】
上述する本発明の実施形態では、ＭＣＳＳＡＰは主に、スタンドアローンソフトウェアアプリケーションの観点から考えられる。しかし、当業者にとっては自明であるように、ＭＣＳＳＡＰは様々なその他のソフトウェアシステムおよび／またはソフトウェアアプリケーションとインタフェースをとることができる。例えば、自身のソーシャルメディアをＭＣＳＳＡＰに対応付けたユーザは、他のソーシャルメディアプラットフォームからマイクロアクションを受け取ることができる、あるいは、ユーザが完了したマイクロアクションおよび実行中のマイクロアクションを自身のソーシャルメディアに送って、ソーシャルメディアフィード／ストリームの一部を形成することができる。同等に、上述したように、ユーザは、小売店などの環境内のＮＦＣ対応装置から新たなマイクロアクションを取得することができる。そのマイクロアクションは、例えば、小売店の慈善活動に１ドルを寄付して、翌日に戻り、印刷済みＴシャツの２５％を得る、あるいは近所または地域社会の活動で清掃を行うチームに参加することができる。
【０１６１】
図３〜図３３の画面画像では、上側のツールバーは、ほぼ機能を伴わずに図示されている。図３４は、ツールバー３４１０と、本発明の一の実施形態に係るＭＣＳＳＡＰにおけるハッシュタグに基づくマイクロクラウドコンテンツの検索に関連する第１の画面画像３４２０および第２の画面画像３４３０を示す。図示するように、ツールバー３４１０では、ユーザに４つのツールバーアイコン３４４０〜３４７０と検索フィールド３４８０とが提示される。これらは以下のとおりである。
・ユーザを図３５に示すようなアクティビティ画面にリンクする第１のツールバーアイコン３４４０
・ユーザをホームページにリンクする第２のツールバーアイコン３４５０
・ユーザを図３６に示すようなヘルプ画面にリンクする第３のツールバーアイコン３４６０
・ユーザを図２７のプロセスフローに関して記載されるようなマイクロアクション作成画面にリンクする第４のツールバーアイコン３４７０
・ユーザが実行したいと思う検索に関するテキストを入力することができる検索フィールド３４８０
【０１６２】
第１の画面画像３４２０は、ユーザが検索用語「＃ｃａｔ」を入力している例示の画面を示しており、検索機能を通じてユーザに第２の画面画像３４３０が提示され、検索結果がユーザに対して提示されており、各画像は検索フィールド内のハッシュタグを含むマイクロアクション（係属中、完了など）に関連する。ユーザが検索フィールド３４８０をタップすると、ハッシュタグが示され、ユーザがテキストを入力することによって、クリアアイコンの表示もトリガする。いったんユーザが検索用語をタイプし、検索フィールド３４８０をタップすると、画面コンテンツは左に移動し、選択したハッシュタグを含むマイクロアクションがロードされる。「ホーム」ボタン、第２のツールバーアイコン３４５０は「標準」に状態を変更する。「クリア」ボタン（検索フィールド３４８０内の「Ｘ」）をタップすると、「検索」テキストフィールドがクリアされ、ディスプレイを表示されるマイクロアクションを示すホーム画面に戻す。任意で、検索結果内のマイクロアクションは、完了レート順にリストアップされる、すなわち、最も多い投稿数／完了数などのマイクロアクションが最初に表示される。ユーザが所与のマイクロアクションをタップすると、ＭＣＳＳＡＰは、フルビューで、すなわち、図３６に示すようなアクティビティストリームからマイクロアクションをタップしたときと同じ挙動でマイクロアクションをロードする。任意で、作成されたマイクロアクションのみを検索結果画面に表示することができ、投稿マイクロアクションは無視される。他の構造も採用することができるのは自明であろう。ユーザが検索結果を下方にスクロールすると、さらに多くのマイクロアクションがロードされる。
【０１６３】
図３５は、例えば図３４の第１のツールバーアイコン３４４０を介して本発明の一の実施形態に係るＭＣＳＳＡＰ内でアクティビティ画面を見ることを選択するユーザに関連する画面画像を示す。したがって、ホーム画面コンテンツが右に移動し、アクティビティ画面が本発明の一の実施形態に関して左から右にスライドすることで、ユーザはアクティビティを見て、単独画面に表示可能なアクティビティよりも多くのアクティビティをスクロールすることができる。
【０１６４】
図３６は、例えば図３４の第３のツールバーアイコン３４６０の選択時に、本発明の一の実施形態に係るＭＣＳＳＡＰ内のユーザ用ヘルプインタフェースに関連する画面画像３６１０を示す。したがって、ヘルプメニューが表示されて、ユーザが様々なメニューおよびサブメニューを移動することができる。表示される最初のヘルプメニューは、「最新トピック」、「一般」、「マイアカウント」、「トラブルシューティング」を備える。
【０１６５】
図３７は、本発明の一の実施形態に係るＭＣＳＳＡＰ内のユーザ用の設定画面およびデフォルトオペレーティングシステムにそれぞれ関連する第１の画面画像３７１０と第２の画面画像３７２０を示す。第１の画面画像３７１０は、例えば、図３５に示すようなアクティビティ画面内のギアボタンの選択を通じてアクセス可能な設定画面を示す。「一般」セクションにより、ユーザは、音楽、音響効果、プライバシーモード、プッシュ通知などの側面を変更することができる。「言語」セクションは、例えば、ＭＣＳＳＡＰをＭＣＳＳＡＰが動作しているＰＥＤ／ＦＥＤのデフォルトオペレーティングシステムピッカー設定にアクセスさせるボタンを含む。これを選択すると、第２の画面画像３７２０をトリガすることができ、ユーザは言語オプションを通じてスクロールし、フォントサイズ、画面解像度、自動回転などの他の機能設定にアクセスすることができる。「フィーリングソーシャル？」セクションにより、ユーザがＦａｃｅｂｏｏｋＴＭ、ＴｗｉｔｔｅｒＴＭ、ＬｉｎｋｅｄＩｎＴＭなどのソーシャルメディアアカウントに接続できる。その他のボタンは、スクロール、または「ヘルプ」、「ログアウト」、ＭＣＳＳＡＰ同期、ＭＣＳＳＡＰ購読設定などの別の画面レイアウトを通じてアクセスすることができる。
【０１６６】
図３８は、本発明の一の実施形態に係るＭＣＳＳＡＰ内のマイクロアクションゲームループに関与するユーザに関連するプロセスフロー３８００を示す。図１〜図３７を参照する上述した本発明の実施形態では、特徴、オプション、アクションなどの多くは、ユーザのＰＥＤ／ＦＥＤ上の「ボタン」型インタフェースに関して説明した。しかし、現代のユーザは、異なるモバイル経験を予測するかもしれない。したがって、プロセスフロー３８００は、本発明の一の実施形態に係るＭＣＳＳＡＰにおけるマイクロアクションゲームループに関与するユーザを示すが、現在の選択機構はＰＥＤ／ＦＥＤ上のタッチ画面インタフェースでのスワイプ動作を介する。このように、マイクロアクションを見るためにユーザはスワイプして、継続することもスキップすることもできる。本発明の他の実施形態では、音声命令、動作、ＰＥＤ運動、表情認識などを採用して、ユーザの決定を判定することができる。プロセスフロー３８００に示すマイクロループゲーム内で、「スマート」「ランダム化」エンジンを通じて、ユーザが作成した、あるいは継続しているマイクロアクションと類似のマイクロアクションがユーザに提示される。さらに、ユーザの友達リストがソーシャルメディアリンクから読み込まれると、「ランダム化」エンジンは、ソーシャルサークルのアクション、選択、作成、完了、継続などを説明することもできる。さらに、本発明の実施形態に係るＭＣＳＳＡＰは、図４０を参照して説明するようなユーザ用の競争的なソーシャルコンポーネントを作成するため、友人に挑戦する新たなソーシャルメカニズムを提供することができる。
【０１６７】
図３９は、本発明の一の実施形態に係るＭＣＳＳＡＰ内の画像のユーザ移動に関するカメラフローチャート３９００を示す。このように、マイクロアクションに関する画像を提供するため、ユーザは、映像／写真を選択し、ソーシャルメディアプロフィールに対応付けられる、ＰＥＤ／ＦＥＤやギャラリーなどのメモリ内に保存された画像／コンテンツを移動することができる。もしくは、新たな画像／写真を取り込むことができる。
【０１６８】
図４０は、本発明の一の実施形態に係るＭＣＳＳＡＰを採用するユーザによって移動される挑戦／チャレンジゲームループプロセスフロー４０００を示す。本発明の一の実施形態によると、毎日、各ユーザは、１人以上の他のユーザに送られる限定量の「挑戦」を有する。挑戦者が挑戦を完了し認証されると、挑戦者は追加の挑戦単位を取得し、挑戦者が認証を拒絶する、あるいは認証に失敗することによって挑戦に失敗すると、仮想アイスバケツチャレンジなどのデフォルトの失敗動画を受け取り、挑戦単位を失う。任意で、特注動画を購入および使用するために、ユーザが「クラウン」および／または現実通貨を消費することができる仮想店舗を提供してもよい。「通貨」として上述した「クラウン」のコンセプトは、本発明の実施形態に係るＭＣＳＳＡＰに含まれる。任意で、挑戦者が挑戦に失敗すると、挑戦者の使用する「挑戦」単位は単純に失われる。任意で、「挑戦」単位は、チャレンジの種類に応じて変更することができる。任意で、「挑戦」単位は毎日リセットされ累積されないが、他の実施形態では累積させてもよい。任意で、いずれの場合も、ユーザが利用可能な「挑戦」単位は、ＭＣＳＳＡＰ内のアクションの結果として増大させることができる、および／または仮想店舗を通じて追加「挑戦」単位を購入することができる。
【０１６９】
図４１は、本発明の一の実施形態に係るＭＣＳＳＡＰ内のユーザのアクションに関連する格付けマイクロアクションプロセスフローチャートを示す。したがって、本発明の実施形態では、ユーザは、マイクロアクションに「賛成票を投じる」および「反対票を投じる」ことができる。また、ユーザは、マイクロアクションが格付けされると、通知を受け取る／受け取らないことを選択することができる。いくつかの本発明の実施形態では、ユーモアがウィルスコンテンツへの必須要素を形成することができるため、格付けシステムはいかなる認証とも自動的に紐付けされない。任意で、格付けシステムを通じて、マイクロアクションを使用し、コミュニティ、グループなどを作成することができる。いくつかの本発明の実施形態では、雪の中で初めて散歩する子犬の映像をシェアした人は、他の犬の散歩としても有効であり、より多くの「賛成票」を得るかもしれない。「賛成票」および「反対票」の値はマイクロアクション「スコア」として要約することができ、任意で、図４２に示すようにエネルギー乗数に変換することができる。特定のマイクロアクションのスコアは正規化することができる。例えば、３投稿のプールによるスコア１０のマイクロアクションが１５投稿のプールによるスコア１０のマイクロアクションよりも価値を持つように、スコアをマイクロアクション投稿の総数で割る。
【０１７０】
図４２は、本発明の一の実施形態に係るＭＣＳＳＡＰにおいて、マイクロアクションのレベルなどに基づきエネルギーポイントを取得するユーザの実行に関連するフローチャート４２００を示す。例えば、本発明の一の実施形態では、マイクロアクションは初期化されると、エネルギーポイントを生成し始める。これらのポイントは、例えば、レベル１のマイクロアクションが最大１０エネルギーポイントを生成できるように、特定の式に応じて時間の経過と共に累積される。ユーザは、マイクロアクションを反復することによってエネルギーポイントを獲得することができ、例えば、エネルギーポイントは、「クラウン」などのＭＣＳＳＡＰ通貨または仮想店舗、例えば、ビットコインＴＭ中の第２の通貨に変換することができる。同等に、ユーザは、オンラインまたは現実通貨を消費してエネルギーポイントを取得することができる。この機構は、大半の人が実行することができ、反復するであろう簡易なマイクロアクションの作成を学習するようにユーザを誘導することを目的とする。これにより、各マイクロアクションに「リプレイ値」が追加される。最終的に、最善のマイクロアクションは、レベル、スコア、エネルギー収益性、アクセスし易さだけでなく、年齢、地理、言語などのその他の側面によって評価される。
【０１７１】
図４３は、認証済みアクティビティに基づき評価が高まる本発明の一の実施形態に係るＭＣＳＳＡＰにおけるユーザに関連する評価増強プロセスフロー４３００を示す。発明者らはこれを「レベルアップ」と称する。実質上、本発明の実施形態では、マイクロアクションが認証される度、認証したユーザが評価を得ることによって、ＭＣＳＳＡＰ内に「名声」システムを作成して、ユーザの責任能力に価値を追加することができる。さらに、ＭＣＳＳＡＰは既に分類・検索方法としてハッシュタグを活用しているため、レベリングシステム内でハッシュタグを追跡および数値化することが一層望ましい。例えば、特定の評価レベルに達する２人のユーザは通常、同じ量のマイクロアクションを完了するが、異なるハッシュタグレベルを得る。これらのハッシュタグレベルは、ＭＣＳＳＡＰ内の新たな層に達する際にユーザがアンロックするタイトルの種類に直接影響を及ぼす。「レベルアップ」は、認証済みマイクロアクションに基づき、設定量のＭＣＳＳＡＰ通貨または仮想および／または現実通貨をユーザに授与する。
【０１７２】
ユーザは本発明の実施形態ではマイクロアクションを認証および監視しているため、ＭＣＳＳＡＰはユーザがマイクロアクションを拒絶している理由を説明する「責任」も提供すべきである。真面目な、あるいは競争主導のマイクロアクションはジョークが入り込む余地がないかもしれない。残念ながら、どんな正常なソーシャルメディアアプリケーションでも、誤情報などを生成するスパムアカウント、悪意のあるボット（ウェブロボットまたは単にボットとしても知られるインターネットボット）を引き寄せる。これらは、ＭＣＳＳＡＰコミュニティガイドラインを侵すマイクロアクションとその制裁措置を適用することができる場合には報告することができる。このように、図４４は、本発明の一の実施形態に係るＭＣＳＳＡＰにおけるマイクロアクションを拒絶し、その理由を挙げるユーザ機能に関連するプロセスフロー４４００を示す。
【０１７３】
上述の説明と関連する図１〜図４４では、本発明の実施形態に係るＭＣＳＳＡＰについて説明および図示した。図示するように、図４５では、本発明の一の実施形態に係るＭＣＳＳＡＰの例示の階層化内でいくつかのレイヤが形成される。図示するように、第１のレイヤ４５１０はユーザ認証に、第２のレイヤ４５２０はマイクロアクション認証に、第３のレイヤ４５３０はクラウドギフティング／報酬レイヤに関する。このように、第２のレイヤ４５２０のユーザのアクティビティは第１のレイヤ４５１０内のプロフィールにも、第３のレイヤ４５３０内の報酬／ギフトなどにも影響を及ぼす。このように、高いレートで認証マイクロアクションを生成するユーザは、認証済みマイクロアクションの実行者／完了者として、第１のレイヤ４５１０内での認証を増大させるだけでなく、第３のレイヤ４５３０内での魅力も高める。
【０１７４】
したがって、既存のソーシャルメディアの存在を強化し、個人間で発生している通信が（従来技術のソーシャルメディア内で現在発生している）レベルの信用を確実に満たすため、ユーザが認証され、プロフィールが第１のレイヤ４５１０内でのＭＣＳＳＡＰ解析エンジンを通じて複数のソーシャルメディアプラットフォームにわたってさらに簡易に作成される。従来技術によると、発明者らが確信するように、既存のソーシャルメディアランドスケープだけでなく、我々の日常生活を形作るモバイルツールは、ユーザの日常体験を完全にマッピングする主要コンポーネントを備えていない。社交的関わりやオンラインアクティビティーのための既存範囲のツールを利用およびサポートする機能は、地域レベルからより広い地理的範囲までリアルタイムで各ユーザの完全性を維持しつつ、ユーザのアクションを有効に参照することができるソリューションを欠いている。現在、大半のソーシャルプラットフォームおよびサービスは、シングルサインオン、ｅメール認証、またはさほど複雑ではない完了形式によって個々のユーザを認証している。これは、何千ものユーザが高度なプログラムを用いて作成できるように容易に再現または操作することができる。対照的に、本発明の実施形態に係るＭＣＳＳＡＰは、ユーザの挙動、ＩＤ、他の全ソーシャルメディアアカウントからの相互作用を確認する解析エンジン４５３０を介して、この欠けている解析メカニズムを提供するとともに、ＭＣＳＳＡＰ解析メカニズムを利用する機能を、外部プラットフォームまたはサービスに提供する。恩恵を得るため、本発明の実施形態に係るＭＣＳＳＡＰの解析メカニズムを活用する各プラットフォーム、仲間のユーザ、他の独自団体は、アプリケーションプログラミングインタフェース／インタフェース（ＡＰＩ）４５４０を通じたユーザアクションの格付けを使用することによって、認証済みのユーザアクションを確信することができる。解析エンジン４５３０は、ピアツーピア認証の追加に加えて、認知、解釈言語、パターン認識アルゴリズム、認証プロセスなどを用いてＭＣＳＳＡＰにリンクするソーシャルメディアアカウントの集合体で、ユーザが既存および新コンテンツのすべてに基づき実行する活動および不活動を正確かつ反復的に適格し定量化するシステム、データベース、方法である。
【０１７５】
ＭＣＳＳＡＰ  ＡＰＩ４５４０は、マイクロアクション認証レイヤ内で、信頼性の高い相互使用可能な仮想ＩＤの枠組みを提供する。さらに、必須要素である既存の各ネットワーク内の作業を具体化し、監視し、管理する機能は、現在のところ未知であり、市場の他のソーシャルおよび仮想オンラインプラットフォームに対する重大な課題を呈している。恩恵を得るため、これらのシステムを活用する各プラットフォーム、仲間のユーザ、他の独自団体は、ユーザアクション格付けＡＰＩ４５４０を用いることによって認証済みのユーザアクションを確信することができる。本発明の実施形態に係るＭＣＳＳＡＰおよびそのマイクロアクション認証レイヤの可能な適用例は以下を含むが、それらに限定されない。
・既存の「ヒューマンチェック」システムのサポート
・ユーザの信頼性とユーザの過去のコメントおよびアクションの種類とに基づき、公開プラットフォーム（ソーシャルメディア、YｏｕＴｕｂｅＴＭ、ＲｅｄｄｉｔＴＭ、ブログ、ニュースメディアサイトなど）上でのユーザのコメントを格付けし、仕分けする（これにより、二次的な公開プロフィールおよびアカウントを用いて第三者の投稿による中傷や否定的コメントが防止されるはずである）
・主題や問題に関する実証済みの権威に基づきユーザを高位に認識／格付けすることができるように、ユーザの経験レベルに応じて公開プラットフォーム上のユーザのアクションおよびコメントを格付けし、仕分けする機能
・ＡｉｒＢｎＢＴＭ、ＵｂｅｒＴＭ、ＬｙｆｔＴＭなどの経済的サービスを共有するため、ユーザとその信頼性を認証する
・ユーザと実証済みの過去のアクション、および特定の利益集団や出会い系ウェブサイトなどへの興味を認証する
【０１７６】
通信路を安全にするように設計される既存の暗号化技術と同様に、本発明の実施形態に係るＭＣＳＳＡＰは、マイクロアクションを通じてユーザを確認および認証することができる合理化機能によって、現在のソーシャルメディアポイントの既存の性質を向上および拡大する。これは、あらゆるレベルで集団、コミュニティ、アクティビティ、社会とつながるために、仮想コンテキストにおけるユーザのセキュリティと透明性、オンライン匿名性、ユーザを確認する際の相互関係にとって必須の要素である。したがって、図４５のマイクロアクションプロセス４５５０は、ｅメール認証、ジオロケーション、ＩＰアドレスなどの一連の重複する認証機能を組み合わせて、存在、個人の「プロフィール」を構成する日常のアクション、認知、解釈言語、パターン認識アルゴリズムを確認するマルチバーチカル認証および妥当性検査プロセスを可能にする。さらに、本発明の実施形態に係るＭＣＳＳＡＰはピアツーピアベースの人的妥当性検査および認証システムを提供することができ、特定のマイクロアクションに関してアクションが認証されたユーザが、他のユーザにとっての妥当性検査および認証ネットワークとなる。
【０１７７】
このマルチバーチカル認証および妥当性検査プロセスは、ＭＣＳＳＡＰ外では容易に再現できない高性能プロセスを反映し、既存の「ヒューマンチェック」をサポートして、利益集団または大衆からのさらなる反応を促すために活用される可能性が高い候補を提供する。
【０１７８】
ユーザとユーザの認証アクションの認証プールに基づき、ＭＣＳＳＡＰの第３のレイヤ４５３０は、１以上のＭＣＳＳＡＰクラウドギフティングエンジン４５６０を介したピアツーピアギフティングを可能にし、ユーザ（政府、団体、企業、ユーザなど）は、以下を含むがそれらに限定されない具体的なアクションを実行することができる。
・Ａ：完了が認証されたマイクロアクションに関する所定または公開基準にギフトを提供する。これにより、完了した現実のアクティビティに関して物とサービスの交換のためのオープンプラットフォームが大衆化され提供される。
・Ｂ：既に完了したマイクロアクションに関してユーザに報酬／ギフトを提供する。このため、ＭＣＳＳＡＰコミュニティ内のユーザは、認証済みアクションを認識し、仲間のユーザに報酬を与えることができる。
【０１７９】
本発明の実施形態では、ギフトは、物理的ギフト（物理的配送を必要とする）、引換え用クーポン、ＭＣＳＳＡＰ内ポイント、現実通貨、仮想通貨、ポイントなどを含むが、これらに限定されない。本発明の実施形態内のポイントにより、ユーザのアクションのゲーミフィケーション機構が可能になる。任意で、お気に入り（利他的アクション）、現金（ギフトアルゴリズムにリンクされる）、名誉（賞賛と認知）、体験ポイント（アクティビティのレベルと頻度）、クラウン（クラウドギフティングシステムにリンクされるＭＣＳＳＡＰ内部ポイントシステムと、ＶＩＳＡ、ＡｉｒＭｉｌｅｓＴＭなどの他の外部ポイントシステム）などの、１以上の異なる種類のポイントを授与、測定、追跡することができる。任意で、アクションおよびアクションの種類にリンクされるユーザの目標達成度を認識するため、バッジ、レベル、タイトルをＭＣＳＳＡＰ内で授与してもよい。
【０１８０】
本発明の実施形態に係るＭＣＳＳＡＰは、他の追加の特徴、および図１〜図４５を参照して上述および後述するプロセスをサポートすることができる。このような特徴の例は、ピア認証、検索エンジン、認証プロセス、認証方法を含むが、それらに限定されない。
【０１８１】
ピア認証：上記マルチバーチカル認証および妥当性検査プロセスによって明確に認証されない、あるいはマイクロアクション作成者がピア認証レイヤを有するマイクロアクションを設計するとき、完了済みのアクションはどれも、完了したマイクロアクションがその特定のマイクロアクションに関して既に認証されている他のピアによって認証される。
【０１８２】
検索エンジン：ＭＣＳＳＡＰ検索エンジンは、非構造化データ（自然言語、テキスト、パターンに基づく）を理解して、ユーザにお気に入りのトピックを簡易に選択させ、既存のアカウントとリンクさせることができ、ＭＣＳＳＡＰ検索エンジンはアプリケーション上の他のユーザのアクティビティ、ハッシュタグ、その他のメタデータに基づきマイクロアクションを推薦する。人気があり、有望なマイクロアクションほど（賛成票が高く明確な目標がある）、検索結果で上位に表示される。
【０１８３】
認証プロセス：いったんユーザの友人がマイクロアクションを完了したら、まずマルチバーチカル認証および妥当性検査プロセス（写真、映像、または位置などと認知、解釈言語、パターン認識アルゴリズムの組み合わせ）によって認証される。次に、認証は時間と共に改良され、認知、解釈言語、パターン認識アルゴリズムが、過去の嗜好とアクションに基づきユーザが完了できる他のマイクロアクションを推薦するのを助ける。
【０１８４】
認証方法：画像、シンプルメッセージサービス（ＳＭＳ）メッセージ（テキスト）、映像、音声メッセージ、ＧＰＳ、Ｂｌｕｅｔｏｏｔｈ、メッシュネットワーキング参加、ウェアラブル装置データ、インターネットプロトコル（ＩＰ）対応ハードウェア（家電や煙探知機など）、処理可能技術、インターネット利用身体改造などを含むが、それらに限定されない、サーバに自動的におよび手動で送信されるすべての信号が、ユーザのＭＣＳＳＡＰプロフィール／認証済みＩＤとマージされ結合される、および／またはマイクロアクション認証を生成する際に採用することができる。
【０１８５】
本発明の実施形態に係るＭＣＳＳＡＰのクラウドギフティングの可能な適用例は以下を含むが、それらに限定されない。
・集団アクションを可能にする企業用の宣伝キャンペーンおよび広告
・人気のある著名人のコンテストから赤十字／グリーンピースアクティビティに至るまで、義務および動機に準拠するアクションに自身で報酬を与える既存の社会、集団、運動、団体
・ＣＳＲ義務に準拠するユーザ／カスタマーのアクションを追跡し、報酬を与える企業や団体用の企業社会的責任（ＣＳＲ）キャンペーン；ＣＳＲキャンペーンのためのブランド認知
・具体的な主要業績評価指標（ＫＰＩ）およびマイルストーンに準拠するターゲットの特定ユーザを用いる政府、団体、ベンチャー企業、投資家資本プロジェクトおよび企業向けの層状資金配分
・会社の開発における具体的なＫＰＩおよびマイルストーンに準拠するターゲットの特定ユーザを用いて、第３世界を開発するためのマイクロファイナンスの報告、追跡、資金配分ツール
・ポイントを転送および／または使用して、ＭＣＳＳＡＰギフト店内のアイテムを購入する、あるいはＭＣＳＳＡＰプラットフォームから各自のポイントシステムへポイントを転送および／または使用する既存の報酬およびポイントシステムの水平プラットフォーム（小売店ポイントカード、エアマイル、クレジットカードポイントなど）
【０１８６】
図１〜図４５を参照する本発明の実施形態の上述の説明において、ＭＣＳＳＡＰの一連の例示的フローを提示した。ＭＣＳＳＡＰ内のユーザアクションに関して、例示のプロセスフローは、以下の箇条書きリスト形式で説明する第１〜第４のユーザプロセスを含むが、それらに限定されない。
【０１８７】
ユーザプロセス＃１：（１）新たなマイクロアクション（ハッシュタグ付き）を作成する、（２）ソーシャルメディアに直接シェアする、（３）友人（ら）にチャレンジする、（４）ポイントおよび賞を取得する。
【０１８８】
ユーザプロセス＃２：（１）マイクロアクションに関して検索する、（２）ソーシャルメディアに直接シェアする、（３）友人（ら）にチャレンジする、（４）ポイントおよび賞を取得する。
【０１８９】
ユーザプロセス＃３：（１）マイクロアクションチャレンジを受け取る／ソーシャルメディア上でマイクロアクションを見る、（２）マイクロアクションをクリックして完了させる−プロフィールを有する場合、ユーザは同じことを実行するように別の友人に挑戦することができる。プロフィールを有していない場合、ユーザはソーシャルメディアを介してログインする、あるいはＭＣＳＳＡＰアカウントを作成して完了させることができる、（３）ポイントおよび賞を取得する。
【０１９０】
ユーザプロセス＃４：（１）完了したマイクロアクションを通じて検索する、（２）ソーシャルメディアに直接シェアする−マイクロアクションに関してコメントし、アクティビティに賛成票または反対票を投じることができる、（３）賞またはギフトを提供する。
【０１９１】
それぞれの場合、他のユーザはマイクロアクション（およびその他の認証された完了）に関してコメントし、アクティビティに賛成票または反対票を投じることができる。すべてのアクティビティはユーザのＭＣＳＳＡＰプロフィールに投稿され、スコアボード上に場所を設ける。
【０１９２】
図１〜図４５を参照する発明の実施形態に関する後述の説明は、マイクロアクションについて言及する。ただし、マイクロアクションは、発明の範囲から逸脱せずにマイクロタスク、マイクロジョブ、マイクロコールなどと称することもできる。さらに、またはもしくは、アクションはタスク（例えば、企業の被雇用者に割り当てられるタスク）、ジョブ（例えば、チラシを配付することでお金を儲けようとする学生）、呼び出し（例えば、誕生日に、特定の友人を呼び出す友人用のマイクロアクション）であってもよい。
【０１９３】
図１〜図４５を参照する本発明の実施形態に関する上記説明では、ＭＣＳＳＡＰを見ているユーザと、スマートフォンなどのＰＥＤを介して対応付けられる通信について主に言及した。しかし、上述したように、ユーザは、マイクロアクションの作成、管理、追跡、完了、認証、宣伝を行うために、ある範囲のその他のＰＥＤおよび／またはＦＥＤを介してＭＣＳＳＡＰにアクセスすることもできる。また、自明なことに、ウェアラブル装置は、ＭＣＳＳＡＰおよび／またはマイクロアクションに対応付けられる１以上のアクティビティをサポートすることができる。本発明のいくつかの実施形態では、これらのアクティビティは自動的に実行することができる。例えば、Ｇｏｏｇｌｅ  ＧｌａｓｓＴＭを着用するユーザは、「フードバンクに行ってください」や「フードバンクで仕分けしてください」などのマイクロアクションを受け取ることができ、ＧＰＳ測位を通じて通知される受領時、Ｇｏｏｇｌｅ  ＧｌａｓｓＴＭ内のカメラを起動させて、第１のマイクロアクションの完了の一環として送信用の画像を提供することができる。第２のマイクロアクションは、例えば、他の個人がフードバンクで食品を仕分けするユーザの画像を捕捉して、ネットワーク１００を介してユーザの装置およびＭＣＳＳＡＰに送信することによって完了させることができる。他の個人が、例えば、ユーザの装置と個人のウェアラブル装置との間のＮＦＣ通信を介してユーザに対応付けられる場合、ユーザの写真を撮るというマイクロアクションを受け取ることができる。もしくは、マイクロアクション完了は、例えば、ラベルまたはホログラムの画像を撮ることによって認証することができる。
【０１９４】
また、マイクロアクションは、ユーザの特別な手の運動によって完了および／または認証されたものとして示すことができ、例えば、カメラ、ウェアラブル機器またはＰＥＤ内の運動センサ、例えばゲームコントローラ内の特別なセンサ、ユーザと対象やユーザ埋込電子機器との物理的接触などを介して追跡することができる。任意で、ユーザはセンサや電子機器などを埋めこんだカプセルを飲んで、従来のウェアラブル装置やＰＥＤなどを利用できないアクティビティを認証することができる。任意で、マイクロアクションは、ユーザの感情の検知、およびユーザ用のマイクロアクションと適切な感情との意味的関連付けに基づき完了させることができる。
【０１９５】
上述したように、より幅広い意味でのユーザは、本発明の１または複数の実施形態に係るＭＣＳＳＡＰの１以上の側面の監視、取得、記憶、送信、処理、生成、関与、使用、管理のうちの少なくとも１つによって特徴付けられるソフトウェアシステム、機械システム、ロボットシステム、アンドロイドシステムなどを含むことができるが、それらに限定されない。したがって、上記ソフトウェアシステム、機械システム、ロボットシステム、アンドロイドシステムなどは、ＭＣＳＳＡＰ内でマイクロアクションを完了させることができる。上記のマイクロアクションは、上記システムによってアクセスされるテキスト、ＳＭＳ、ＧＵＩコンテンツなどを通じて伝達することができるが、システムのＩＰアドレスに送信されるマイクロアクションであってもよい。このように、マイクロアクションは人のユーザによって生成することができるだけでなく、１以上の他のシステムによってその生成をトリガすることもできる。同様に、上記システムは、人のユーザだけでなくその他のシステムに対してマイクロアクションをトリガすることができる。
【０１９６】
本発明を完全に理解してもらうために、上述の説明では具体的な細部を記載した。しかしながら、実施形態はこれらの具体的細部なしでも実行することができると理解される。例えば、不必要な細部で実施形態を曖昧にしないように回路はブロック図で示してもよい。他の例では、周知の回路、プロセス、アルゴリズム、構造、技術は、実施形態を曖昧にするのを防ぐため、不必要な細部を描かずに示すことができる。
【０１９７】
上述の技術、ブロック、ステップ、手段は、様々な形で実行することができる。例えば、これらの技術、ブロック、ステップ、手段は、ハードウェア、ソフトウェア、またはそれらの組み合わせで実行することができる。ハードウェア実装の場合、処理部は、１つ以上の用途特定集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、上述の機能を実行するように設計されたその他の電子部、および／またはそれらの組み合わせ内に実装することができる。
【０１９８】
なお、実施形態は、フローチャート、フロー図、データフロー図、構造図、またはブロック図で示されるプロセスとして記載してもよい。フローチャートは順次プロセスとして動作を記載することができるが、動作の多くは並列または同時に実行することができる。また、動作の順序は再配列することができる。動作が完了すればプロセスは終了するが、図面に含まれない追加ステップを有することができる。プロセスは、方法、機能、手順、サブルーチン、サブプログラムなどに対応していてもよい。プロセスが機能に対応するとき、終了は主機能の呼出し機能への機能の復帰に対応する。
【０１９９】
さらに、実施形態は、ハードウェア、ソフトウェア、スクリプト言語、ファームウェア、ミドルウェア、マイクロコード、ハードウェア記述言語および／またはそれらの組み合わせによって実現されてもよい。ソフトウェア、ファームウェア、ミドルウェア、スクリプト言語および／またはマイクロコードで実行される場合、必要なタスクを実行するプログラムコードまたはコードセグメントは記憶媒体などの機械可読媒体に記憶させてもよい。コードセグメントまたは機械実行可能命令は、手順、機能、サブプログラム、プログラム、ルーチン、サブルーチン、モジュール、ソフトウェアパッケージ、スクリプト、クラス、または命令の組み合わせ、データ構造、および／またはプログラム文を表してもよい。コードセグメントは、情報、データ、引数、パラメータおよび／またはメモリコンテンツを伝達および／または受信することによって、別のコードセグメントまたはハードウェア回路に接続させることができる。情報、引数、パラメータ、データなどは、メモリ共有、メッセージ伝達、トークン伝達、ネットワーク送信などの任意の適切な手段を介して伝達、転送、または送信することができる。
【０２００】
ファームウェアおよび／またはソフトウェア実装の場合、該方法は、本文書に記載する機能を実行するモジュール（例えば、手順、機能など）を用いて実行することができる。命令を有形に具体化する機械可読媒体は、本文書に記載する方法を実行する際に使用することができる。例えば、ソフトウェアコードはメモリに記憶させることができる。メモリは、プロセッサ内、またはプロセッサ外に実装させることができ、後の実行のためにソフトウェアコードを記憶する際にメモリを採用するときと、ソフトウェアコードを実行する際にメモリを採用するときとで実装を変動させることができる。本文書で使用する場合、「メモリ」という文言は、任意の種類の長期、短期、揮発性、不揮発性、またはその他の記憶媒体を指し、任意の特定の種類のメモリまたは特定の数のメモリ、またはメモリを記憶するメディアの種類に限定されない。
【０２０１】
さらに、本文書で開示する場合、「記憶媒体」という文言は、１つ以上のデータ記憶装置、例えば、読取専用メモリ（ＲＯＭ）、ランダムアクセスメモリ（ＲＡＭ）、磁気ＲＡＭ、コアメモリ、磁気ディスク記憶媒体、光記憶媒体、フラッシュメモリ装置、および／または情報を記憶するその他の機械可読媒体を表すことができる。「機械可読媒体」という文言は、可動または固定記憶装置、光記憶装置、無線チャネル、および／または命令および／またはデータを記憶する、含む、または担持するその他の各種媒体を含むが、それらに限定されない。
【０２０２】
本文書に記載する方法は、１つ以上の実施形態では、命令を含むコードセグメントを受信する１つ以上のプロセッサを備える機械によって実行可能である。本文書に記載するどの方法の場合も、命令を機械によって実行するとき、機械が方法を実行する。機械が取るべき動作を特定する１セットの命令を（順次またはそれ以外の形で）実行することができる機械が含まれる。よって、代表的な機械は、１つ以上のプロセッサを含む代表的な処理システムによって例示することができる。各プロセッサは、ＣＰＵ、グラフィック処理部、プログラマブルＤＳＰ部のうちの１つ以上を含むことができる。処理システムは、主ＲＡＭおよび／または静的ＲＡＭ、および／またはＲＯＭを含むメモリサブシステムをさらに含んでもよい。部品間の通信用のバスサブシステムを含めてもよい。処理システムがディスプレイを必要とする場合、このようなディスプレイは、例えば、液晶ディスプレイ（ＬＣＤ）を含むことができる。手動でのデータ入力が必要である場合、処理システムは、キーボードなどの英数字入力部とマウスなどのポインティング制御装置とのうちの１つ以上である入力装置も含む。
【０２０３】
メモリは、処理システムによって実行されるとき、本文書に記載する方法のうちの１つを実行する命令を含む機械可読コードセグメント（例えば、ソフトウェアまたはソフトウェアコード）を含む。ソフトウェアはコンピュータシステムによる実行中、メモリ内に完全に常駐する、あるいはＲＡＭおよび／またはプロセッサ内に完全にまたは少なくとも部分的に常駐することができる。よって、メモリおよびプロセッサは、機械可読コードを備えるシステムも構成する。
【０２０４】
別の実施形態では、機械は、スタンドアローン装置として動作する、あるいは、ネットワーク配備下の他の装置に接続する、例えばネットワーク接続することができる。該機械は、サーバ−クライアントネットワーク環境内のサーバまたはクライエント機械の能力内で、またはピアツーピアまたは分散ネットワーク環境内のピア機械として動作することができる。該機械は、例えば、コンピュータ、サーバ、サーバのクラスタ、コンピュータのクラスタ、ウェブアプライアンス、分散コンピューティング環境、クラウドコンピューティング環境、または機械が取るべき動作を特定する１セットの命令を（順次またはそれ以外の形で）実行することができる任意の機械であってもよい。「機械」という文言は、本文書に記載する方法のうちの１つ以上を実行する１セットの（または複数セットの）命令を個々に、または共に実行する機械の集合を含むように解釈してもよい。
【０２０５】
本発明の例示的実施形態に関する上記開示は、例示と説明のために提示した。この説明は、網羅的である、あるいは本発明を単独の開示する実施形態に限定することを意図していない。本文書に記載する実施形態の多くの変形および変更は、上記開示に鑑み、当業者によって自明となる。発明の範囲は、添付の請求項によってのみ、および請求項の等価物によって定義すべきである。
【０２０６】
さらに、本発明の代表的実施形態を説明するにあたって、明細書はステップの特定のシーケンスとして本発明の方法および／またはプロセスを提示した。しかしながら、方法またはプロセスが本文書に記載するステップの特定の順序に依存しないという点で、方法またはプロセスは記載するステップの特定のシーケンスに限定されるべきではない。当業者が認識するように、ステップのその他のシーケンスも可能である。したがって、本明細書に記載するステップの特定の順序は、請求項に関する限定と解釈すべきではない。また、本発明の方法および／またはプロセスに関する請求項は、記載される順番でステップを実行することに限定すべきではなく、当業者であれば、シーケンスは変更することができ、その場合も本発明の精神と範囲に含まれることを容易に理解するであろう。
【図１】
0006788505.tif 000005
【図２】
0006788505.tif 000006
【図３】
0006788505.tif 000007
【図４】
0006788505.tif 000008
【図５】
0006788505.tif 000009
【図６Ａ】
0006788505.tif 000010
【図６Ｂ】
0006788505.tif 000011
【図７】
0006788505.tif 000012
【図８Ａ】
0006788505.tif 000013
【図８Ｂ】
0006788505.tif 000014
【図９】
0006788505.tif 000015
【図１０】
0006788505.tif 000016
【図１１】
0006788505.tif 000017
【図１２】
0006788505.tif 000018
【図１３】
0006788505.tif 000019
【図１４】
0006788505.tif 000020
【図１５】
0006788505.tif 000021
【図１６】
0006788505.tif 000022
【図１７】
0006788505.tif 000023
【図１８】
0006788505.tif 000024
【図１９Ａ】
0006788505.tif 000025
【図１９Ｂ】
0006788505.tif 000026
【図２０】
0006788505.tif 000027
【図２１】
0006788505.tif 000028
【図２２Ａ】
0006788505.tif 000029
【図２２Ｂ】
0006788505.tif 000030
【図２３Ａ】
0006788505.tif 000031
【図２３Ｂ】
0006788505.tif 000032
【図２４Ａ】
0006788505.tif 000033
【図２４Ｂ】
0006788505.tif 000034
【図２５】
0006788505.tif 000035
【図２６】
0006788505.tif 000036
【図２７】
0006788505.tif 000037
【図２８Ａ】
0006788505.tif 000038
【図２８Ｂ】
0006788505.tif 000039
【図２９】
0006788505.tif 000040
【図３０】
0006788505.tif 000041
【図３１】
0006788505.tif 000042
【図３２】
0006788505.tif 000043
【図３３】
0006788505.tif 000044
【図３４】
0006788505.tif 000045
【図３５】
0006788505.tif 000046
【図３６】
0006788505.tif 000047
【図３７】
0006788505.tif 000048
【図３８】
0006788505.tif 000049
【図３９】
0006788505.tif 000050
【図４０】
0006788505.tif 000051
【図４１】
0006788505.tif 000052
【図４２】
0006788505.tif 000053
【図４３】
0006788505.tif 000054
【図４４】
0006788505.tif 000055
【図４５】
0006788505.tif 000056